(57)【特許請求の範囲】
【請求項１】
０．２乃至５０質量％のジアリルアミン及び９９．８乃至５０質量％のジアリルジメチルアンモニウムクロリドを含むモノマー混合物を反応させることにより得られる主ポリマー骨格を含む、
一般式（IV）
【化１】
0005380072.tif 000028
［式中、Ｆｇ'は炭素原子数１乃至３０のアルキル基又は
【化２】
0005380072.tif 000029
（式中、Ｒは水素原子、炭素原子数１乃至３０のアルキル基、炭素原子数１乃至３０のペルフルオロアルキル基、１乃至１５００のエトキシ単位、１乃至１５００のプロポキシ単位、１乃至１５００の混合エトキシ−プロポキシ単位を表し、ｒは１乃至１００の数を表す。）を表し、ｍ及びｎは、（ｍ＋ｎ）＝１である対応するかっこ中の繰り返し単位のモル分率を表し、そして、★は末端基を表す。］で表される官能性カチオン性ポリマー。
【請求項２】
一般式（Ｖ）
【化３】
0005380072.tif 000030
（式中、Ｒは１乃至１８個の炭素原子を有するアルキル基を表し、ｍ及びｎは一般式（Ｖ）で表されるポリマーのそれぞれ対応するかっこ中の繰り返し単位のモル分率を表し、ｒは０乃至１００の数を表し、そして、★は末端基を表す。）で表される、請求項１に記載の官能性カチオン性ポリマー。
【請求項３】
一般式（ＩＶ）中のＦｇ'が、塩化３−クロロー２−ヒドロキシプロピル−ジメチルドデシルアンモニウム又は塩化３−クロロ−２−ヒドロキシプロピル−ジメチルオクタデシルアンモニウムの反応からの残基である、請求項１に記載の官能性カチオン性ポリマー。
【請求項４】
Ａ）請求項１に記載の重合性官能性カチオン性コポリマー、
Ｂ）少なくとも１種の化粧品的機能剤、及び
Ｃ）少なくとも１種の化粧品的に許容される助剤
を含む、パーソナルケア又は化粧品組成物。
【発明の詳細な説明】
【技術分野】
【０００１】
本発明は官能性水溶性カチオン性ポリマー、それらの製造方法、及びパーソナルケア適用におけるそれらを含む組成物の使用に関する。
【背景技術】
【０００２】
カチオン性ポリマーは家庭において及びパーソナルケア、水処理、製紙、選鉱、石油回収、繊維、及び医薬品において広範に用いられている。最も重要で広範に用いられるカチオン性ポリマーは、ジアリルジアルキルアンモニウム化合物の四級アンモニウムポリマーである。塩化ジアリルジメチルアンモニウム（ＤＡＤＭＡＣ）のポリマーは、家庭及びパーソナルケア産業において、ポリクオタニウム６として知られており、皮膚及びヘアケアの適用において広範に用いられる。
【０００３】
ヘアケアへの適用に於けるジアリルジメチルアンモニウム塩のホモ−及びコポリマーの使用は、幾つかの米国特許明細書に開示されている。
【０００４】
現在利用可能なカチオン性ポリマ−の殆どは基本的なヘアコンディショニング特性を提供するが、しかし、それらは幾つかの望ましくない特性ももたらす。これらの望ましくない特性のひとつは粘着性である。これはまた、髪上でのポリマーのネバネバ感として知られる。この望ましくない特性は、髪を固まらせ、髪のボリュームを減少させることになるであろう。これはまた、髪を押さえてぺたっとした効果をもたらし得る。
【０００５】
本発明は、例えば、塩化ジアリルジメチルアンモニウム（ＤＡＤＭＡＣ）及びジアリルアミン（ＤＡＡ）のような、優れたコンディショニング特性及び改善された粘着性を提供する新規の水溶性及びカチオン性コポリマーに関する。これらのコポリマーは、ジアリルジアルキルアンモニウム化合物の典型的な四級アンモニウムポリマー（ｐｏｌｙＤＡＤＭＡＣ）の粘着効果を克服する。これらはまた少ない静電的な風に髪が靡くような優れた感触を提供する。これらはまた、スキンケア製品への有用な特性を提供する。
【０００６】
米国特許第３，７００，６２３号明細書及び米国特許第３，８３３，５３１号明細書は、酸安定化されたポリ（ジアリルアミン）−エピハロヒドリン樹脂を教示している。第一のステップにおいて、ジアリルアミン（ＤＡＡ）のポリマーは、ラジカル開始剤を用いてラジカル重合化を通じて製造される。ジアリルアミンのポリマーはエピハロヒドリン、通常、エピクロロヒドリン（ＥＣＨ）と、約３０乃至８０℃の温度において、そして水溶液中で７乃至９．５のｐＨにおいて反応される。２０％乃至３０％の固体溶液において測定された粘度が望ましい粘度範囲に到達した場合（Ｇａｒｄｎｅｒ−ＨｏｌｄｔスケールにおけるＡ乃至Ｅ）、生成物は、１５％以下の固体になるよう水で希釈される。
【０００７】
得られた樹脂は、放置によりゲル化する傾向があった。樹脂溶液は、それ故、十分な水溶性酸、例えば、塩酸を添加しｐＨを約２に調整することでゲル化に対して安定化される。酸安定化ポリ（ジアリルアミン）−エピクロロヒドリン樹脂は、使用前に塩基、例えば水酸化ナトリウムを添加しｐＨを７以上に調整することにより、再活性化される。アルカリ硬化樹脂の半量が反応したエピハロヒドリン構成要素は、使用前にアルカリ塩基の添加によって再活性化された後に架橋反応のためのエポキシ官能性を与える。これらのポリマーは、架橋後は不溶性である。
【０００８】
米国特許第４，３５４，００６号明細書、米国特許第４，４１９，４９８号明細書及び米
国特許第４，４１９，５００号明細書は、ジアリルアミン（ＤＡＡ）ポリマーをまずハロゲン化アリルと、そして次いで次亜ハロゲン酸と反応させアリル置換基をハロヒドリン部分へ置換することによる、ポリ（ＤＡＡ−ＥＣＨ）ポリマーの製造方法を教示している。
【０００９】
日本国特許出願公開第６−１０８，３８２号明細書は、ポリ（ジアリルアミン）−エピハロヒドリンポリマーを製造するその他の方法を開示している。ジアリルアミン−エピハロヒドリンのハロゲン塩モノマーは、まずジアリルアミンをエピハロヒドリン（典型的にはエピクロロヒドリン）と反応させ、次いでハロゲン酸、典型的には塩酸で中和することにより製造される。ＤＡＡ−ＥＣＨ第三アミン塩モノマーはここで、ラジカル開始剤を用いて重合化される。得られたポリ（ジアリルアミン）−エピハロヒドリンポリマーは、直接染料又は反応染料により染色されたセルロースベースの繊維に対し、優れた湿式色堅牢性を提供することが開示されている。
【００１０】
米国特許第５，１４７，４１１号明細書は、ＤＡＡ−ＥＣＨモノマー（３−ハロ−２−ヒドロキシプロピル）ジアリルアミン及び（２，３−エポキシプロピル）ジアリルアミン、及びそれらの四級アンモニウム塩の製造方法を開示している。四級アンモニウムＤＡＡ−ＥＣＨ塩は、ＤＡＡ−ＥＣＨ第三アミンをアルキルスルホン酸塩と反応させることにより製造される。ＤＡＡ−ＥＣＨ四級アンモニウム塩は、染色の改善された色収率及び湿式堅牢性のために、セルロース繊維原料の処理においてそのまま用いられる。
【００１１】
米国特許第４，３４１，８８７号明細書は、ジアリルアミンとエピクロロヒドリン（３−クロロ−２−ヒドロキシプロピル）ジアリルアミン（ＤＡＡ−ＥＣＨモノマー）との生成物は、水の存在下で加熱することにより塩化Ｎ，Ｎ−ジアリル−３−ヒドロキシ−アゼチジニウム（ＤＡＡ−ＥＣＨアゼチジニウムモノマー）に変換され得ることを開示している。蒸留又は凍結乾燥による溶媒（水）の除去は、ＤＡＡ−ＥＣＨアゼチジニウムモノマーが、線状、四級でないＮ−３−クロロ−２−ヒドロキシプロピル−Ｎ，Ｎ−ジアリルアミンへの再変換を生じさせる。しかし、（３−クロロ−２−ヒドロキシプロピル）ジアリルアミンは安定でなく、２，５−ビス（ジアリルアミノメチル）−ｐ−ジオキサンへ二量化される。アゼチジニウム環はＤＡＡ−ＥＣＨアゼチジニウムモノマーのフリーラジカル重合化により得られるポリマー中で影響を受けない。1Ｈ  ＮＭＲ及び13Ｃ  ＮＭＲ分光
法を、モノマー及びポリマー中のアゼチニウム環を同定するために用いた。Ｎ，Ｎ−ジアリル−３−ヒドロキシアゼチジニウムのホモ−及びコ−ポリマーは、水処理における解乳化、綿状沈殿、浮選に有用である。
【００１２】
上記に挙げた特許明細書は、ＤＡＡモノマー又はＤＡＡポリマーと反応する反応性化合物としてのエピハロヒドリンの使用が関与する。エピハロヒドリン、例えば、エピクロロヒドリンは、二官能性反応性架橋剤であるので、高度に架橋された不溶性最終生成物は、当量の高ＤＡＡ−含有の、即ち＞５％の、ポリマーと完全に反応した場合に得られる。可溶性のカチオン性ポリマーが得られた場合において、ポリマーは、潜在的に反応性のエポキシ基と半量が反応したエピクロロヒドリンを含む。エピハロヒドリンのみがジアリルアミンポリマーの架橋剤として開示されている。ジアリルアミンポリマーを架橋するために用いられ得るその他の多官能性化合物は言及されていない。
【００１３】
米国特許第６，３２３，３０６号明細書は、アミノ−官能性のＤＡＤＭＡＣポリマーと二官能性反応性架橋剤とを反応させることにより水溶性カチオン性ポリマーを製造する方法を開示している。反応性架橋剤は、ジアリルアミンポリマーを架橋させるために用いられ得るエピハロヒドリン及びその他の多官能性化合物を含む。特許は、二官能性反応性架橋剤の使用に起因する過剰の架橋により起こり得る望ましくない不溶性の生成物の生成を防止するために、ＤＡＡ含有量は５％未満に限られる。
【００１４】
米国特許第６，４１６，６２７号明細書は、ヒンダードアミンニトロキシド、ヒドロキシルアミン又はヒドロキシルアンモニウム塩基を含む重合化光安定剤であり、該安定剤は、明度が失われるのを防止し、また、未だリグニンを含むパルプ又は紙の黄変に対する耐性を強化するために有用であるものを開示している。これらのポリマーは、ペンダントアミノ基又は水酸基を含むポリマー、例えば、アミノ−官能性ＤＡＤＭＡＣポリマー又はポリアミンを、好適なヒンダードアミン遊離体と反応させることにより製造され得る。
【特許文献１】米国特許第３，７００，６２３号明細書
【特許文献２】米国特許第３，８３３，５３１号明細書
【特許文献３】米国特許第４，３５４，００６号明細書
【特許文献４】米国特許第４，４１９，４９８号明細書
【特許文献５】米国特許第４，４１９，５００号明細書
【特許文献６】日本国特許出願公開第６，１０８，３８２号明細書
【特許文献７】米国特許第５，１４７，４１１号明細書
【特許文献８】米国特許第４，３４１，８８７号明細書
【特許文献９】米国特許第６，３２３，３０６号明細書
【特許文献１０】米国特許第６，４１６，６２７号明細書
【発明の開示】
【発明が解決しようとする課題】
【００１５】
本発明の目的は、パーソナルケア及び化粧品への適用に有用な官能性カチオン性ポリマーを、少なくとも１つの官能性反応性化合物を、少なくとも１種の水溶性アミノ基含有の線状又は分枝であり得所望により架橋されている、カチオン性「基本」ポリマーと反応させることにより製造する方法である。１つの実施態様において、これは例えば、塩化ジアリルジメチルアンモニウム（ＤＡＤＭＡＣ）及びジアリルアミン（ＤＡＡ）コポリマーである。
【課題を解決するための手段】
【００１６】
官能性の高度、即ち＞５％、は単官能性反応性化合物を用いることにより達成し得る。官能性の高度、即ち＞５％はまた、二官能性反応性化合物、即ち、架橋剤を用いることにより、例えば大過剰量の二官能性反応性化合物を使用することにより、大部分にモノ反応及び殆ど「基本」ポリマーの架橋が起こらないようにして、達成し得る。
【００１７】
本発明の官能性カチオン性ポリマーの官能性は使用された官能性反応性化合物に由来する。疎水性反応性化合物は、好ましくは「基本」カチオン性ポリマーへ疎水性を与えるために用いられる。
【００１８】
本発明の１つの目的は、官能性又は疎水性に変性されたカチオン性コポリマー、例えば、ポリＤＡＤＭＡＣ−型のコポリマー、そしてそれらの製造方法を提供することにある。
【００１９】
本発明のその他の目的は、パーソナルケア組成物及び官能性又は疎水性に変性されたカチオン性コポリマー、例えば、ポリＤＡＤＭＡＣ型のコポリマーの、例えば、感触、光沢及び多くのその他の髪の特性を増強するヘアーコンディショナーへの添加剤として、又は皮膚のための組成物への添加剤としての使用方法を提供することにある。
【００２０】
本発明のその他の目的は、カチオン性「基本」ポリマーを含むアミノ基を、「基本」ポリマー上のアミノ基と反応する少なくとも１種の化合物とグラフトさせることにより得られる、少なくとも１種の水溶性官能性カチオン性ポリマー、少なくとも１種の化粧品的機能剤、及び少なくとも１種の美容上許容できる助剤を含むパーソナルケア組成物を提供することにある。
【００２１】
疎水性／親水性及びカチオン性基を有する本発明のポリマーは、髪のようなケラチン基質へのポリマーの染着性（ｓｕｂｓｔａｎｔｉｖｉｔｙ）の増強を可能とし、したがって、最も必要とされているヘアーコンディショナーの効果を改善する。同時に、これらのポリマーは、使用を容易にする適度な水溶性／分散性を有する。
【００２２】
本発明のその他の目的は、パーソナルケア及び化粧品組成物、例えば、上記のような皮膚用製品及び種々のヘアケア製品の様々な形態を適用することにあり、そのような製品の性能はさらに、香料、汚物放出ポリマー（ｓｏｉｌ  ｒｅｌｅａｓｅ  ｐｏｌｙｍｅｒ）、着色剤、防腐剤、種々の細菌に対して活性を有する抗菌剤、蛍光増白剤、ＵＶ吸収剤及びその他の光調節剤のようなその他の添加剤の配合によりさらに増強される。
【００２３】
水溶性官能性カチオン性ポリマーは、線状又は分枝であり得、所望により架橋され得るアミノ基を含む水溶性カチオン性「基本」ポリマーと、「基本」ポリマー中のアミノ基に反応性があり必要な官能性を付与する少なくとも１種の化合物とを反応させることにより製造され得る。反応性化合物は、親水性又は疎水性、アニオン性、カチオン性、両性又は非イオン性であり得る。１つの実施態様において、少なくとも１種の疎水性反応性化合物は、カチオン性「基本」ポリマーへ疎水性を付与するグラフト剤として用いられる。
【００２４】
本発明の更なる実施態様は、線状又は分枝であり得、所望により架橋され、そしてアミノ基を含むカチオン性「基本」ポリマーを、疎水性又は親水性、アニオン性、カチオン性、両性又は非イオン性であり得、「基本」ポリマー中の少なくとも一部のアミノ基と反応し得る少なくとも１種の官能性化合物と反応させることを含む、官能性及び／又は疎水性に変性されたカチオン性ポリマーの製造方法であるが、但し、官能性化合物は、ヒンダードアミンニトロキシド、ヒドロキシルアミン又はヒドロキシルアンモニウム塩基のいずれも含まないか、又はもしそのような基が存在する場合、「基本」ポリマー中の少なくとも一部のアミノ官能性基はまた、同時に又はいかなる順において連続的に、ヒンダードアミンニトロキシド、ヒドロキシルアミン又はヒドロキシルアンモニウム塩基を含まない少なくとも１種の官能性化合物と反応される。
【００２５】
その他の特徴では、本発明は線状又は分枝であり得、所望により架橋され、そしてアミノ基を含むカチオン性「基本」ポリマーを、疎水性又は親水性、アニオン性、カチオン性、両性又は非イオン性であり得、「基本」ポリマー中の少なくとも一部のアミノ基と反応し得る、少なくとも１種の官能性化合物と反応させることにより得られる、官能性及び／又は疎水性に編成されたカチオン性ポリマーに関するが、但し、官能性化合物は、ヒンダードアミンニトロキシド、ヒドロキシルアミン又はヒドロキシルアンモニウム塩基のいずれも含まないか、又は仮にそのような基が存在する場合、「基本」ポリマー中の少なくとも一部のアミノ官能性基はまた、同時に又はいかなる順において連続的に、ヒンダードアミンニトロキシド、ヒドロキシルアミン又はヒドロキシルアンモニウム塩基を含まない少なくとも１種の官能性化合物と反応される。
【００２６】
本発明の官能性コポリマーは、添加されたグラフト及び所望により架橋剤によってグラフト又は架橋するための好適なサイトを含む、カチオン性「基本」ポリマーより製造される。この官能性水溶性コポリマーは線状又は分枝であり得、所望により架橋される。
【００２７】
本発明の物と同様の「基本」ポリマーは、既に開示されているが、従来、「基本」ポリマー架橋サイトの数は、一般的に非常に多数であり、使われた架橋レベルは非常に高かったので、生じたポリマーは、主にエピクロロヒドリンにより、架橋され、それを不溶性にするのに十分高い範囲であった。そのような不溶性の樹脂は、構造において、また意図された適用において、ここに使用した水溶性「基本」ポリマーとは全く異なる。
【００２８】
高度の官能性（＞５モル％）はカチオン性「基本」ポリマー、例えば、ポリ−ＤＡＤＭＡＣ−型のカチオン性「基本」ポリマー、の架橋なしに、単官能性反応性化合物を用いることにより達成し得る。
【００２９】
分枝構造を持つ水溶性官能性カチオン性ポリマーは、エピクロロヒドリンのような、二官能性反応性化合物により、低レベル、例えば＜５モル％、好ましくは１乃至３％における「基本」ポリマーへのその配合を制御することにより達成し得る。例えば、米国特許第６，３２３，３０６号明細書は、３％までの二官能性反応性架橋剤を用いて、アミノ−官能性ＤＡＤＭＡＣポリマーを反応させることにより、水溶性のカチオン性ポリマーを製造する方法を開示している。そのような水溶性架橋性ポリマーは、そこに教示されているように水溶性官能性カチオン性ポリマーへ変換され得るカチオン性「基本」ポリマーとして好適である。分枝構造を有する水溶性官能性カチオン性ポリマーはまた、二官能性反応性化合物を用い、「基本」ポリマー及び反応性化合物の化学量論比率及び／又は使用される「基本」ポリマーの分子量を制御することによって達成し得る。
【００３０】
本発明のグラフトコポリマーは、髪における優れた調整特性並びにスキンケア組成物の特性の増強を提供する。
【００３１】
１つの実施態様において、本発明は、
（ａ）０．１乃至９９．９質量％、好ましくは２０質量％乃至９９質量％の、一般式（Ｉ）で表され、
【化１】
0005380072.tif 000002
式中、Ｒは水素原子又は炭素原子数１乃至４のアルキル基；Ｒ1及びＲ2は、各々それぞれ独立して、１乃至１８個の炭素原子を有するアルキル基、ヒドロキシルアルキル基、カルボキシアルキル基、カルボキサミドアルキル基又はアルコキシアルキル基を表し；Ｍcは
、（メタ）アクリルアミド又は（メタ）アクリレートのような任意のモノマー（Ｃ）からの残基を表し；ｎ、ｍ及びｐは一般式（Ｉ）で表されるカチオン性反応物の、それぞれ対応するかっこ内の繰り返し単位のモル分率を表し；ｍ＋ｎ＋ｐ＝１であり；そして、Ｙ-
はアニオンを表す、少なくとも1つのカチオン性反応物を、
（ｂ）０．１乃至９９．９質量％の、疎水性又は親水性、アニオン性、カチオン性、両性、非イオン性、であり得、そして、一般式（Ｉ）で表されるポリマーの骨格上に付いているアミノ基と反応性があるが、但し、官能性化合物は、ヒンダードアミンニトロキシド、ヒドロキシルアミン又はヒドロキシルアンモニウム塩基を含まないか、又は、もしそのような基が官能性化合物中に存在する場合、「基本」ポリマー中のアミノ官能性基の少なくとも一部がまた、同時に又は如何なる順において連続して、ヒンダードアミンニトロキシド、ヒドロキシルアミン又はヒドロキシルアンモニウム塩基を含まない少なくとも1種の
官能性化合物と共に、反応するものである、少なくとも1種の官能性化合物（グラフト剤
）とを反応させることにより得られる主骨格を含む官能性カチオン性コポリマーに関する。
【００３２】
１つの実施態様において、本発明の官能性カチオン性ポリマーは下記一般式（１ａ）又は（１ｂ）、
【化２】
0005380072.tif 000003
式中、Ｒ1及びＲ2は、各々それぞれ独立して、水素原子、１乃至１８個の炭素原子を有するアルキル基、ヒドロキシルアルキル基、カルボキシアルキル基、カルボキサミドアルキル基又はアルコキシアルキル基を表し；Ｍcは任意のモノマーＣからの残基を表し；そし
てＹ-は無機又は有機であり得るアニオンを表し；Ｆｇはカチオン性アミノ「基本」ポリ
マーにグラフトされる少なくとも1種の官能性反応物からの残基を表し；Ｒ3は水素原子、炭素原子数１乃至４のアルキル基又はＦｇを表し；ｍ、ｎ及びｐは一般式（Ｉａ）又は（Ｉｂ）で表されるポリマーのそれぞれ対応するかっこ中の繰り返し単位のモル分率を表し；ｍ＋ｎ＋ｐ＝１を表し、そして★は末端基、例えば触媒残基を表すが、但し、官能性残基Ｆｇは、ヒンダードアミンニトロキシド、ヒドロキシルアミン又はヒドロキシルアンモニウム塩基を含まないか、又は、もしそのような基が存在する場合、ポリマー中のアミノ官能性残基の少なくとも一部が、ヒンダードアミンニトロキシド、ヒドロキシルアミン又はヒドロキシルアンモニウム塩基を含まない少なくとも1種の官能性残基を有する。
【００３３】
1つの実施態様において、本発明は、
Ａ）０．１乃至９９．９質量％、好ましくは２０質量％乃至９９質量％の、一般式（Ｉ）で表され、式中、Ｒは水素原子又は炭素原子数１乃至４のアルキル基を表し；Ｒ1及びＲ2は各々それぞれ独立して、１乃至１８個の炭素原子を有するアルキル基、ヒドロキシアルキル基、カルボキシアルキル基、カルボキサミドアルキル基、又はアルコキシアルキル基を表し；Ｍｃは、（メタ）アクリルアミド又は（メタ）アクリレートのような任意のモノマー（Ｃ）からの残基を表し；ｎ、ｍ及びｐは一般式（Ｉ）で表されるカチオン性反応物のそれぞれ対応するかっこ中の繰り返し単位のモル分率を表し；ｍ＋ｎ＋ｐ＝１を表し；そしてＹ-はアニオンを表すものである、
少なくとも１種のカチオン性反応物を、０．１乃至９９．９質量％の、疎水性又は親水性、アニオン性、カチオン性、両性又は非イオン性であり得、一般式（Ｉ）で表されるポリマーの骨格上のアミノ基と反応性があるものである、少なくとも1種の反応性官能性化合
物（グラフト剤）、と反応させることにより得られ誘導される主骨格を有する重合性官能性カチオン性コポリマー；
Ｂ）少なくとも１種の化粧品的機能剤；及び
Ｃ）少なくとも１種の化粧品的に許容される助剤
を含む、パーソナルケア及び化粧品組成物に関する。
【００３４】
パーソナルケア及び化粧品組成物の１つの実施態様において、本発明の官能性カチオン性ポリマーは、上記で定義したような一般式Ｉａ又はＩｂ、式中、Ｒ1及びＲ2は、各々それぞれ独立して、水素原子、１乃至１８個の炭素原子を有するアルキル基、ヒドロキシアルキル基、カルボキシアルキル基、カルボキサミドアルキル基、又はアルコキシアルキル基を表し；Ｍｃは所望によるモノマー（Ｃ）からの残基を表し；そしてＹ-は、無機又は
有機であり得るアニオンを表し；Ｆｇは、カチオン性アミノ官能性「基本」ポリマー上へ
グラフトされた少なくとも１種の官能性反応物からの残基を表し；Ｒ3は水素原子、炭素
原子数１乃至４のアルキル基又はＦｇを表し；ｍ、ｎ及びｐは、一般式（ＩＩＩａ）又は（ＩＩＩｂ）で表されるポリマーのそれぞれ対応するかっこ内の繰り返し単位のモル分率を表し；そして★は、例えば触媒残基のような末端基を表す。
【００３５】
上記の一般式は理想化されている。実際のポリマーにおいて、種々の基は、任意の順に連結され得る。ブロック又はランダムコポリマーの両方は、上記一般式の範疇である。
【００３６】
多くのパーソナルケア組成物、例えば、シャンプー、石鹸等は、適用の後に基質より洗い流される。調整剤がそのような組成物に配合された場合、残りの製剤が洗い流された後にも活性成分が、基質に残ることを望む場合、調整するコポリマーが基質への優れた染着性（ｓｕｂｓｔａｎｔｉｖｉｔｙ）を有することが重要である。多くの関心のある基質、即ち皮膚、髪及びつめは、疎水性であり及びわずかにアニオン性であるので、それもまた疎水性、高分子量であり、動き無く（ｃａｔａｔｏｎｉｃａｌｌｙ）荷電している物質は、は基質に染着性（ｓｕｂｓｔａｎｔｉｖｉｔｙ）の望ましい度合いを与えるために好まれるであろう。
【００３７】
本発明の１つの特徴は、官能性水溶性カチオン性ポリマーを製造する方法に関するが、線状又は分枝、そして所望により架橋され、そしてアミノ基を含むカチオン性「基本」ポリマーと、疎水性又は親水性、アニオン性、カチオン性、両性又は非イオン性であり得、「基本」ポリマー中のアミノ基の少なくとも一部と反応し得る少なくとも１種の官能性化合物を反応させることによる製造方法であるが、但し、官能性化合物は、ヒンダードアミンニトロキシド、ヒドロキシルアミン又はヒドロキシルアンモニウム塩基のいずれも含まないか、又は仮にそのような基が存在する場合、「基本」ポリマー中のアミノ官能性基の少なくとも一部はまた、同時に又はいかなる順において連続的に、ヒンダードアミンニトロキシド、ヒドロキシルアミン又はヒドロキシルアンモニウム塩基を含まない少なくとも１種の官能性化合物と反応されるものである。
【００３８】
１つの実施態様において、本方法は、式（１）中、Ｒは水素原子又は炭素原子数１乃至４のアルキルを表し；Ｒ1及びＲ2は、各々それぞれ独立して、１乃至１８個の炭素原子を有するアルキル基、ヒドロキシアルキル基、カルボキシアルキル基、カルボキサミドアルキル基、またはアルコキシアルキル基を表し；Ｍｃは、（メタ）アクリルアミド又は（メタ）アクリレートのような、所望によるモノマー（Ｃ）からの残基を表し；ｎ、ｍ及びｐは一般式（Ｉ）で表されるカチオン性反応物のそれぞれ対応するかっこ内の繰り返し単位のモル分率を表し；ｍ＋ｎ＋ｐ＝は１であり；そしてＹ-は、アニオンを表す、線状又
は分枝及び所望により架橋されている一般式（Ｉ）で表されるアミノ官能性カチオン性「基本」ポリマーを、「基本」ポリマー中のアミノ官能性基の少なくとも一部と反応し得る少なくとも１種の官能性化合物と反応し得るが、但し、官能性化合物は、ヒンダードアミンニトロキシド、ヒドロキシルアミン又はヒドロキシルアンモニウム塩基のいずれも含まないか、又はもしそのような基が官能性化合物に存在する場合、「基本」ポリマー中のアミノ官能性基の少なくとも一部はまた、同時に又はいかなる順において連続的に、ヒンダードアミンニトロキシド、ヒドロキシルアミン又はヒドロキシルアンモニウム塩基を含まない、少なくとも１種の官能性化合物と反応させることを含む方法である。
【００３９】
（Ａ）アミノ官能性「基本」ポリマーの合成
四級アンモニウムカチオン性「基本」ポリマーは、少なくとも１つの四級アンモニウムカチオン性モノマー（Ａ）、反応性アミン基を含む少なくとも１種の共重合性モノマー（Ｂ）、そして、所望により、モノマーＡ及びモノマーＢ以外の少なくとも１種の共重合性モノマー（Ｃ）を、フリーラジカル開始剤を用いて共重合することにより製造し得る。
モノマーＢの質量は、０．０５乃至９９％、好ましくは、０．２乃至５０％の範囲であ
り、そして、モノマーＡとモノマーＣを加えた質量は、９９．９乃至０．０５％、好ましくは９９．８乃至５０％の範囲であり得る。モノマーＣ対モノマーＡの質量比は、０乃至３、及び好ましくは０乃至１で変化し得る。
【００４０】
いかなる四級アンモニウムカチオン性モノマーもモノマーＡとして用いられ得る。本発明の実践において有用なカチオン性モノマーは、ジアリルジアルキルアンモニウム化合物、アクリルオキシエチルトリメチルアンモニウムクロリド、メタクリルオキシエチルエチルトリメチルアンモニウムクロリド、ビニルベンジルトリメチルアンモニウムクロリド、及び３−アクリルアミドー３−メチルブチルトリメチルアンモニウムクロリドを含む。モノマーＡのための好ましいカチオン性モノマーは、一般式Ａ
【化３】
0005380072.tif 000004
式中、Ｒ3及びＲ4は、各々それぞれ独立して、水素原子又は炭素数１乃至４のアルキル基を表し；Ｒ1及びＲ2は、各々それぞれ独立して、１乃至１８個の炭素原子を有するアルキル基、ヒドロキシアルキル基、カルボキシアルキル基、カルボキサミドアルキル基又はアルコキシアルキル基を表し；そしてＹ-はアニオンを表すところのジアリルジアルキル
アンモニウム化合物である。Ｒ3及びＲ4は好ましくは水素原子である。
【００４１】
好ましいカチオン性モノマーの例としては、ジアリルジメチルアンモニウムクロリド（ＤＡＤＭＡＣ）、ジアリルジメチルアンモニウムブロミド、ジアリルジメチルアンモニウム硫酸塩、ジアリルジメチルアンモニウムリン酸塩、ジメタアリルジメチルアンモニウムクロリド、ジエチルアリルジメチルアンモニウムクロリド、ジアリルジ（β−ヒドロキシエチル）アンモニウムクロリド及びジアリルジ（β−エトキシエチル）アンモニウムクロリドを含む。最も好ましいカチオン性モノマーは、その商業上の重要性の理由からＤＡＤＭＡＣである。
【００４２】
Ｙ-の好ましいアニオンは、塩化物、臭化物、硫酸塩、リン酸塩、硝酸塩、酢酸塩及び
テトラフルオロホウ酸塩を含む。塩化物は、最も好ましい。
【００４３】
第一、第二又は第三アミノ官能性を含み、そしてモノマーＡと共重合性の、いかなるオレフィン化合物も、モノマーＢとして用いられ得る。アミノ官能性（ａｍｉｎｏ  ｆｕｎｃｔｉｏｎａｌｉｔｙ）の用語は、アミンの塩及びオキシド並びに遊離アミンを含む。
【００４４】
モノマーＢの好適な化合物は、ジアリルアミン、モノアリルアミン、ジメチルアミノエチル（メタ）アクリレート、ジメチルアミノエチル（メタ）アクリルアミド、第三ブチルアミノエチルメタクリレート、ビニルピリジン、及びｐ−ジメチルアミノメチルスチレンのような種々のアミノスチレンを含む。
【００４５】
１つの実施態様において、アミノモノマーは、一般式Ｂ
【化４】
0005380072.tif 000005
式中、Ｒ、Ｒ3及びＲ4は、各々それぞれ独立して、水素原子、炭素数１乃至４のアルキル基を表すジアリルアミン。Ｒ、Ｒ3及びＲ4は好ましくは水素原子である。
【００４６】
一般式Ｂで表されるジアリルアミンモノマーの例は、ジアリルアミン（ＤＡＡ）；２，２'−ジメチルジアリルアミン；２，２'−ジエチルジアリルアミン；２，２'−ジイソプ
ロピルジアリルアミン；２，２'−ジプロピルジアリルアミン；２，２'−ジイソブチルジアリルアミン；Ｎ−メチルジアリルアミン（ＭＤＡＡ）；Ｎ−エチルジアリルアミン；２，２'−ジメチル−Ｎ−メチルジアリルアミン；２，２'−ジエチルーＮ−メチルジアリルアミン；２，２'−ジイソプロピル−Ｎ−メチルジアリルアミン；２，２'−ジプロピル−Ｎ−メチルジアリルアミン；２，２'−ジメチル−Ｎ−エチルジアリルアミン；及び２，
２'−ジエチル−Ｎ−エチルジアリルアミン等を含む。ＤＡＡ及びＭＤＡＡは最も好まし
い。
【００４７】
ＤＡＤＭＡＣ／ＤＡＡコポリマーは先に言及された米国特許第６，３２３，３０６号明細書及び米国特許第６，４１６，６２７号明細書から知られている。
【００４８】
モノマーの好適な化合物としては、モノマーＡ又はモノマーＢ以外のオレフィンモノマーを含む。そのようなオレフィンモノマーの例としては、アクリルアミド、メタクリルアミド、Ｎ，Ｎ−ジメチルアクリルアミド  Ｎ，Ｎ−ジエチルアクリルアミド、Ｎ，Ｎ−ジメチルアミノプロピルアクリルアミド及びそれらの塩；アクリル酸、メタクリル酸、ビニルスルホン酸及びそれらの塩、ビニルピロリドン、ヒドロキシエチルアクリレート、ビニルアミン、ビニルホルムアミド、ビニルアルコール、ビニルカプロラクタム、ジメチルシロキサンのビニル誘導体、アミノシロキサン、ビニルフッ化炭素、ヒドロキシアルキルアクリレート、２−ヒドロキシプロピル−アクリレート、及び２−ヒドロキシブチル−アクリレート；Ｎ，Ｎ−ジメチルアミノエチルメタクリレート、Ｎ，Ｎ−ジメチルアミノエチルアクリレート、ジエチルアミノエチルアクリレート及び7-アミノ−３，７−ジメチルオクチルアクリレートのようなアミノアルキルアクリレート、及びそれらのアルキル及びベンジル四級塩等のようなそれらの塩を含む。オレフィンモノマーではないが、二酸化硫黄はまた、成分Ｃのための好適な化合物であり得る。（メタ）アクリルアミド及び（メタ）アクリレートが好ましい。
【００４９】
アミノ官能性カチオン性「基本」ポリマーを形成するモノマーＡ，Ｂ及び、所望によりモノマーＣの共重合化は、好適なフリーラジカル開始剤を用いて、水溶性溶液重合化、油中水逆エマルジョン重合化又は分散重合化により行われ得る。
【００５０】
好適な開始剤の例としては、過硫酸アンモニウム（ＡＳＰ）のような過硫酸塩；過酸化水素、第三ブチルヒドロペルオキシド、及び第三ブチルペルオキシピバレートのような過酸化物；２，２'−アゾビス（２−アミジノプロパン）ジヒドロクロリド、４，４'−アゾビス−４−シアノ吉草酸及び２，２'−アゾビスイソブチロニトリルのようなアゾ開始剤
、及び第三ブチルヒドロペルオキシド／Ｆｅ（ＩＩ）及び過硫酸アンモニウム／重硫酸塩のような酸化還元開始剤系を含む。過硫酸アンモニウム（ＡＰＳ）を用いた水溶液重合化は、好ましいモノマーであるＤＡＤＭＡＣ及びＤＡＡ（又はＭＤＡＡ）のアミノ官能性塩基カチオン性ポリマーの製造のために好ましい方法である。
【００５１】
重合化過程に用いるフリーラジカル開始剤の量は、全モノマー濃度及び使用されるモノマーの種類に依存し、そして全モノマー置換の９９％以上を達成するために必要とする全モノマー投入量の約０．２乃至約０．５質量％の範囲であり得る。
【００５２】
１つの実施態様において、重合化は、実質的に酸素の非存在下で行われる。酸素は反応媒体から、攪拌しながら減圧させるか又は窒素又はアルゴンのような不活性ガスを用いてパージすることにより除去され得る。重合化は、その後不活性ガスの全面的な適用下で導かれ得る。
【００５３】
１つの実施態様において、アミノ官能性「基本」ポリマーは、一般式（Ｉ）で表され得、式中、Ｒは水素原子又は炭素原子数１乃至４のアルキル基を表し；Ｒ1及びＲ2は、各々それぞれ独立して、１乃至１８個の炭素原子を有するアルキル基、ヒドロキシアルキル基、カルボキシアルキル基、カルボキサミドアルキル基、又はアルコキシアルキル基を表し；Ｍｃは、（メタ）アクリルアミド又は（メタ）アクリレートのような、少なくとも１種の所望によるモノマーＣからの残基を表し；ｎ、ｍ及びｐは一般式（Ｉ）で表されるカチオン性反応物のそれぞれ対応するかっこ中の繰り返し単位のモル分率を表し；ｍ＋ｎ＋ｐ＝１を表し；そしてＹ-はアニオンを表す。
【００５４】
（Ｂ）官能性又はグラフト「基本」ポリマー
上記のような実施例のために製造されたアミノ基を有する「基本」ポリマー（Ｉ）は、それを、少なくとも１種の反応性官能性化合物（グラフト剤及び／又は架橋剤）（ＩＩ）とともに反応させることにより官能化又は変性される。「基本」ポリマー中のアミノ官能性基と反応し得る基を有する化合物は、使用されるグラフト剤の特性又は官能性を与えるために用いられ得る。グラフト又は架橋のための好適な反応性化合物は、エポキシ化合物、ハロアルキル化合物、イソシアネート化合物及び活性化されたオレフィン二重結合を含む化合物を含む。非水溶性系におけるグラフト又は架橋のための好適な反応性化合物はまた、酸ハロゲン化物及び無水物を含む。
【００５５】
本発明の１つの実施態様において、使用される官能性反応性化合物又はグラフト剤（ＩＩ）は、
「基本」ポリマーのアミノ窒素へその残余のＦｇ'と連結する下記式
【化６】
0005380072.tif 000006
の連結部分を含む、下記式
【化５】
0005380072.tif 000007
のような官能性基Ｆｇに導くエポキシ又はハロヒドリン化合物である。
【００５６】
グラフトのために好適な単官能性エポキシ化合物の例としては以下のグリシジル化合物が含まれる：モノ−（２，３−エポキシ）プロピルエーテル−末端化ポリジメチルシロキサン、３−グリシドキシプロピルトリメトキシシラン、１−オキシ−２，２，６，６−テトラメチル−４−グリシジルオキシピペリジン、グリシジルイソプロピルエーテル、グリ
シジルイソブチルエーテル、グリシジルヘプチルエーテル、グリシジル２−メチルフェニルエーテル、グリシジルヘキサデシルエーテル、グリシジルヘキサデカフルオロノニルエーテル、グリシジル４−ノニルフェニルエーテル、１，２−エポキシドデカン、１，２−エポキシオクタデカン、１，２−エポキシ−３−フェノキシプロパン、グリシジルトリメチルアンモニウムクロリド、グリシジル３−ニトロベンゼンスルホン酸、等を含む。
【００５７】
ポリ官能性エポキシ化合物の例は、エチレングリコールジグリシジルエーテル（ＥＧＤＥ）；ジグリシジルエーテル；１，２，３，４−ジエポキシブタン；１，２，５，６−ジエポキシヘキサン；ポリ（プロピレングリコール）ジグリシジルエーテル（ＰＰＧＤＥ）；１，４−ブタンジオールジグリシジルエーテル、３-ビス（グリシジルオキシ）メチル
−１，２−プロパンジオール、ビスフェノールＡジグリシジルエーテル（ＢＡＤＧＥ）、ポリ（フェニルグリジジルエーテル−コ−ホルムアルデヒド）、グリセロールプロポキシレートトリ−グリシジルエーテル、Ｎ，Ｎ−ジグリシジル−４−グリシジルオキシアニリン、トリグリシジルイソシアヌレート等を含む。好ましいエポキシ架橋剤は、ビスフェノールＡジグリシジルエーテル及びエチレングリコールジグリシジルエーテルである。
【００５８】
単官能性エポキシ化合物が一般式（Ｉ'）で表されるＤＡＡコポリマーと反応される場
合、構造式（ＩＶ）
【化７】
0005380072.tif 000008
式中、Ｒは水素原子、炭素原子数１乃至３０のアルキル基、炭素原子数１乃至３０のペルフルオロアルキル基、１乃至１５００のエトキシ単位、１乃至１５００のプロポキシ単位、１乃至１５００のエトキシ−プロポキシ混合単位を表し、ｍ及びｎは（ｍ＋ｎ）＝１での対応するかっこ内での繰り返し単位のモル分率を表し、そしてｒは１乃至１００の数を表すところの官能性カチオン性ポリマーが得られ得る。
【００５９】
ハロヒドリン型のエポキシ化合物はまた、アミノカチオン性「基本」ポリマーを官能化するための反応性化合物として用いられ得る。これらの例としては、３−クロロ−２−ヒドロキシプロピル−ジメチルドデシルアンモニウムクロリド及び３−クロロ−２−ヒドロ
キシプロピル−ジメチルオクタデシルアンモニウムクロリド（ＤｅｇｕｓｓａからのＱｕａｂ（登録商標）３４２及びＱｕａｂ（登録商標）４２６）を含む。一般式（ＩＶ）で表される官能性カチオン性ポリマー中、Ｆｇ'は、３−クロロ−２−ヒドロキシプロピル−
ジメチルドデシルアンモニウムクロリド又は３−クロロ−２−ヒドロキシプロピル−ジメチルオクタデシルアンモニウムクロリドの反応による残基であろう。
【００６０】
ハロアルキル化合物はまた、「基本」アミノカチオン性ポリマーを官能化させるための反応性化合物として用いられ得る。グラフトのために好適な単官能性ハロアルキル化合物は、例えば、クロロエタン、ブロモエタン、１−クロロプロパン、１−クロロブタン、クロロ酢酸及びその塩、二塩化物で置換された塩化シアヌル酸等を含む。好ましいハロアルキル反応物は、それらが廉価である理由からブロモエタン及びクロロエタンである。一般式（Ｉａ及びＩｂ）で表される官能性カチオン性ポリマーにおいて、Ｆｇは、
「基本」ポリマー（Ｉ）のアミノ窒素へその残余Ｆｇ'と連結する下記式
【化９】
0005380072.tif 000009
の連結部分を含む、下記式
【化８】
0005380072.tif 000010
のような官能性基Ｆｇを導くハロアルキル化合物の残基であろう。
【００６１】
ハロアルキル化合物はまた、一価の、ペルフルオロ化された、アルキル基又はアルケニル基、直鎖、分枝又は環状の３乃至２０の完全にフッ素化された炭素原子を有する有機基であり、ここで有機基は所望により、二価の酸素原子又は硫黄原子により中断され、そして末端にヨウ素基を有するものである。ぺルフルオロアルキル部分は、単一のペルフルオロアルキル基、例えば、ペルフルオロブチル基又はペルフルオロへキシル基、又はそのような基の混合物であり得、例えば、Ｃ4Ｆ9−、Ｃ6Ｆ13−、Ｃ8Ｆ17−、Ｃ10Ｆ21−、Ｃ12Ｆ25−及びＣ14Ｆ29−基の混合物であり得る。
【００６２】
ｎ＝４乃至１４であるヨウ化ペルフルオロアルキル  ＣnＦ2n+1−Ｉは、ＺＯＮＹＬ（
登録商標）ＰＦＢＩ、ＺＯＮＹＬ（登録商標）ＴＥＬＡ−Ｌ及びＺＯＮＹＬ（登録商標）ＴＥＬＡ−Ｎの販売名でデュポン（ＤｕＰｏｎｔ）より入手可能である。これらは、以下の平均短鎖重合体分布：
ＺＯＮＹＬ（登録商標）ＰＦＢＩ：Ｃ4＝最大９９．５％
ＺＯＮＹＬ（登録商標）ＴＥＬＡ−Ｌ：Ｃ4＝最大４％、Ｃ6５０＝±３％、Ｃ8２９＝
±２％、Ｃ10１１＝±２％、Ｃ12４＝±１％、Ｃ14及びそれ以上＝最大２％；
ＺＯＮＹＬ（登録商標）ＴＥＬＡ−Ｎ：Ｃ6＝最大６％、Ｃ8５０＝±３％、Ｃ10２９＝±２％、Ｃ12１１＝±１％、Ｃ14及びそれ以上＝最大４％；
をそれぞれ有する。
【００６３】
ヨウ化ペルフルオロアルキルエチルはまた、ＺＯＮＹＬ（登録商標）ＴＥＬＢ−Ｌ、ＺＯＮＹＬ（登録商標）ＴＥＬＢ及びＺＯＮＹＬ（登録商標）ＴＥＬＢ−Ｎの販売名でデュポン（ＤｕＰｏｎｔ）より入手可能である。これらは、以下の平均短鎖重合体分布：
ＺＯＮＹＬ（登録商標）ＴＥＬＢ： Ｃ4＝最大４％、Ｃ6３５＝±３％、Ｃ8３０＝±３％、Ｃ10１７＝±２％、Ｃ12８＝±１％、Ｃ14及びそれ以上＝最大６％；
ＺＯＮＹＬ（登録商標）ＴＥＬＢ−Ｌ：Ｃ4＝最大４％、Ｃ6５０＝±３％、Ｃ8２９＝
±２％、Ｃ10１１＝±２％、Ｃ12４＝±１％、Ｃ14及びそれ以上＝最大２％；
ＺＯＮＹＬ（登録商標）ＴＥＬＢ−Ｎ：Ｃ6最大６％、Ｃ8５０＝±３％、Ｃ10２９＝±２％、Ｃ12１１＝±１％、Ｃ14及びそれ以上＝最大４％；
をそれぞれ有する。
【００６４】
１つの実施態様において、本発明の官能性カチオン性ポリマーは、まずアリルグリシジルエーテル又はハロゲン化アリルをカチオン性「基本」ポリマー上の第一又は第二アミンと反応させることにより、少なくとも１種のアリルオキシ基を導入し、そして生じたアリルオキシ基へＲF−ヨウ化物を添加し、次いで部分的に又は完全に脱水素ハロゲン化反応
を行うことにより合成され得る。これは、米国特許第６，７０６，９２３号明細書に開示されている一連の反応と類似している。
【００６５】
アリルオキシ基へのヨウ化ペルフルオロアルキルの添加は、米国特許第５，５８５，５１７号明細書中のアリルアルコールへヨウ化ペルフルオロアルキルの添加をするために開示されているものと同様の方法及び条件を用いて行われ得る。
【００６６】
その他の実施態様において、ヨウ化ペルフルオロアルキルはまた、米国特許第６，３６５，６７６号明細書に記載されているように、まず、ペルフルオロアルキルエチレン中間体を形成し、これをその後ポリマー骨格上のアミン基へ添加することによりカチオン性「基本」ポリマー骨格へ添加され得る。
【００６７】
第一又は第二アミノ基を含むカチオン性「基本」ポリマーをグラフト又は架橋させるために用いられ得るジハロアルキル化合物の例は、１，２−ジクロロエタン、１，２−ジブロモエタン、１，３−ジクロロプロパン、１，４−ジクロロブタン、１，６−ジクロロへキサン、１，１０−ジクロロドデカン等を含む。好ましいジハロアルキル化合物は、１，２−ジブロモエタン及び１，２−ジクロロエタンである。
【００６８】
塩化シアヌル酸及びその塩素で置換された誘導体のようなトリハロ化合物もまた、用いられ得る。知られているように、塩化シアヌル酸上のそれぞれのハロゲン原子の置き換えは、徐々により困難となる。これは、次の更なる官能性を導入する反応と共に、カチオン性「基本」ポリマーへのジハロトリアジニル官能性基の導入に活用され得る。
【００６９】
カチオン性「基本」ポリマーをグラフト又は架橋させるその他の二官能性反応物の例としては、Ｎ，Ｎ'−メチレンビスアクリルアミド（ＭＢＡ），Ｎ，Ｎ'−エチレンビスアクリルアミド、エピクロロヒドリン、エチレングリコールジアクリレート、ジエチレングリコールジアクリレート、ポリ（エチレングリコール）ジアクリレート、ポリ（プロピレングリコール）ジアクリレート等が含まれる。ＭＢＡは好ましい架橋剤である。
【００７０】
反応物投入量比に依存して、好ましくは二官能性反応物のちょうど1つの官能性基が反
応し得る。カチオン性「基本」ポリマーのために架橋剤として用いられる場合、ほんの少量（０．１乃至３質量％）だけが通常用いられるであろう。
【００７１】
活性化されたオレフィンの二重結合を含む化合物はまた、第一又は第二アミノ基を含むカチオン性「基本」ポリマーを、マイケル付加を経てグラフト又は架橋するために用いられ得る。マイケル付加において用いる好適な単官能性化合物の例としては、（メタ）アクリルアミド、（メタ）アクリロニトリル、メチルアクリレート、ブチルアクリレート、ラウリルアクリレート（ＬＡ），２−ヒドロキシエチルアクリレート（ＨＥＡ）のような（メタ）アクリル酸のエステル、Ｎ，Ｎ−ジメチルアクリルアミド及びＮ−イソプロピルアクリルアミド（ＮＩＰＡ）のようなＮ−置換された（メタ）アクリルアミドを含む。好ましい化合物は、２−ヒドロキシエチルアクリレート、Ｎ，Ｎ−ジメチルアクリルアミド及びＮ−イソプロピルアクリルアミドを含む。
【００７２】
一般式（Ｉａ及びＩｂ）で表される前記において言及した官能性カチオン性ポリマーにおいて、Ｆｇは、活性化されたオレフィン二重結合を含む少なくとも１種の化合物であり、
ここで、該化合物はアクリレート化合物を表し、
カチオン性「基本」ポリマーのアミノ窒素へその残余Ｆｇ基を結合する
【化１１】
0005380072.tif 000011
連結を含む、
【化１０】
0005380072.tif 000012
のような官能性基Ｆｇを与える。
【００７３】
該化合物がアクリルアミドである場合、それは、
カチオン性「基本」ポリマーのアミノ窒素へ、その残余Ｆｇ基を結合する
【化１３】
0005380072.tif 000013
連結を含む、
【化１２】
0005380072.tif 000014
のような官能性基Ｆｇであり、ここで、該Ｆｇ基は同じでも異なってもよいものを与える。
【００７４】
該化合物がアクリロニトリル又はメタクリロニトリルである場合、それは、
【化１４】
0005380072.tif 000015
官能性基Ｆｇを与える。
【００７５】
１つの実施態様において、イソシアネート化合物は、第一又は第二アミノ基を含むカチオン性「基本」ポリマーへグラフトされる。好適なイソシアネート化合物の例は、イソプロピルイソシアネートのようなアルキルイソシアネート、ベンジルイソシアネート、シクロヘキシルイソシアネート、ドデシルイソシアネート及び３−（トリエトキシシリル）プロピルイソシアネート、イソシアネートエチルメタクリレート等のようなその他の単官能性イソシアネートを含む。ジイソシアネート化合物の例は、イソホロンジイソシアネート
（ＩＰＤＩ）、１，４−ジイソシアノブタン、ヘキサメチレンジイソシアネート（ＨＤＩ）、トルエンジイソシアネート（ＴＤＩ）等並びに反応性基のひとつが、適切な保護基により一時的に保護されているジイソシアネート化合物を含む。好ましい化合物は例えば、ＴＤＩ，ＨＤＩ，ＩＰＤｉ等を含む。
【００７６】
無水化合物はまた、第一又は第二アミノ基を含む「基本」ポリマーとグラフトし得る。反応物（ＩＩ）としての好適な無水化合物の例は、フタル酸、マレイン酸、コハク酸、ピロメリット酸及びテトラヒドロフタル酸の無水物、２−ドデセニ−１−イル無水コハク酸等を含む。1つの実施態様において、無水化合物は、２−ドデセニ−１−イル無水コハク
酸である。
【００７７】
反応性化合物は、「基本」ポリマー中に存在する反応性アミンのそれぞれのモルに対して反応性化合物中の官能性基の約０．０２乃至３．０モル、好ましくは０．２乃至１．０モルの量において用いられる。「基本」ポリマーに対して反応性化合物の当量比は、最終ポリマーのために望ましい特性に応じて変化し得る。反応性化合物は、「基本」ポリマー中のアミノ官能性基とともに完全に反応した後に化合物の望ましい特性を与える有効量において使用される。１種以上の活性化合物が同時に又はいかなる順において連続して、「基本」ポリマーと反応され得る。
【００７８】
グラフト反応は、水性媒体中で、又はステップ（ａ）において「基本」ポリマーの製造のために用いられるように、同様の反応媒体、例えば油中水型乳剤中で行われ得る。反応は、好ましくは水性媒体中において、約７乃至約１１のｐＨにおいて、好ましくは７．５乃至９．５のｐＨにおいて、及び、約０℃乃至約１００℃、好ましくは２０℃乃至８０℃の温度において行われ得る。反応前には反応媒体中の「基本」ポリマーの固体の濃度は、１質量％乃至約６０質量％、好ましくは「基本」ポリマーの溶液に対し１０質量％乃至２５質量％、そして好ましくは、「基本」ポリマーの乳剤又は分散液に対し２０乃至５０質量％であり得る。
【００７９】
１つの実施態様において、反応化合物は、水溶性媒体中に少なくとも部分的に溶解し、そしてポリマー骨格の官能性部分へグラフトされ、カチオン性及び疎水性基の両方を有するポリマーを形成する、疎水性反応物（ＩＩ）である。疎水性の反応物（ＩＩ）がその水への溶解性よりも多量にポリマーへ添加された場合、過剰量は、適正な攪拌がなされた場合、微細液滴の形で第二層を形成し得る。高い反応ｐＨ（＞８）において、カチオン性「基本」ポリマー中のアミン基はプロトン付加せず、そしてグラフトのための疎水性反応物（ＩＩ）を吸収する疎水性部分を形成し得る。ポリマーの疎水性部分は、疎水性グラフトが進むに従い増大し、反応の場への疎水性反応物（ＩＩ）の移動が加速されるであろう。疎水性反応物（ＩＩ）の微細液滴は、それらが全てグラフトのための「基本」ポリマー（Ｉ）の疎水性部分へ移動した後に、最終的に消失するであろう。
【００８０】
基本カチオン性ポリマー中のアミノ基と反応性がありしかし又、水と非常に反応性のある官能性基を伴う反応物は、好ましくは非水溶性溶媒中でグラフトされる。１つの実施態様において、カチオン性「基本」ポリマーは水溶性溶液中で製造される。「基本」ポリマーの水溶性溶液はその後、水を除去するために乾燥され得、そして、酸ハロゲン化物及び無水物のような水に感受性のある反応化合物と反応させるために非水溶性溶媒中へ再溶解され得る。あるいは、非水溶性溶媒は水溶性「基本」ポリマーの溶液に添加され得、そして水は共沸蒸留により除去され得る。
【００８１】
非水溶性グラフトのための好適な水に感受性のある反応化合物の例としては、酸ハロゲン化物、無水物及びイソシアン酸塩を含む。イソシアン酸塩と第一又は第二アミノ基との反応は水とよりも非常に速いため、イソシアン酸塩化合物はまた、水溶性媒体中において
反応され得る。
【００８２】
本発明の１つの実施態様は、一般式（Ｖ）を有するシロキサン変性ポリＤＡＤＭＡＣ／ＤＡＡコポリマーであり、
【化１５】
0005380072.tif 000016
式中、Ｒは、１乃至１８個の炭素原子を有するアルキル基、好ましくはＣ4Ｈ9を表し、ｍ及びｎは、一般式（Ｖ）で表されるポリマーのそれぞれ対応するかっこ中の繰り返し単位のモル分率を表し、ｒは０乃至１００の数を表し、そして★は、末端基、例えば触媒残基を表す。
【００８３】
一般式（ＩＶ）で表されるカチオン性ポリマー中に含まれるシロキサン官能性は、疎水性を付与し、パーソナルケア及びその他の適用において必要とされる表面変性及びその他の特性を提供する。
【００８４】
本発明のその他の実施態様は、以下の部分一般式中に示したもののような、グラフト抗酸化剤又はＵＶ吸収剤官能性を持つポリＤＡＤＭＡＣコポリマーであり、
【化１６】
0005380072.tif 000017
式中、ｍ及びｎは、一般式（Ｖａ）及び（Ｖｂ）で表されるポリマーのそれぞれ対応するかっこ中の繰り返し単位のモル分率を表し、そして★は末端基、例えば触媒残基を表す。上記のように、ヒンダードアミンニトロキシド、ヒドロキシルアミン又はヒドロキシルアンモニウム塩基が存在する場合、ヒンダードアミンニトロキシド、ヒドロキシルアミン又はヒドロキシルアンモニウム塩基を含まない少なくとも１種の付加的官能性残基もまた存在しなければならない。
【００８５】
本発明のポリマーの原子質量単位（ａｍｕ）における分子量は重要ではない。それは、１．０ｘ１０3乃至５．０ｘ１０7の範囲であり得、例えば１．０ｘ１０4乃至５．０ｘ１
０6の範囲であり得、特に２．０ｘ１０5乃至２．０ｘ１０6の範囲であり得、数平均分子
量又は質量平均分子量であり得、そして光散乱、ゲル浸透クロマトグラフィー、サイズ排除クロマトグラフィー等のような如何なる一般的に利用可能な方法により測定され得る。
【００８６】
ポリマーは種々の物理的形態、即ち、溶液、分散液、懸濁液、顆粒、粉末、ビーズ、ブロック等で与えられ得る。溶液、分散液、懸濁液等のような液体の形態の場合において、液相は、水溶性及び／又は大豆油、エステル又は鉱物油中への分散のような非水溶性であり得る。非水溶性溶媒又は分散媒体としての好ましい炭化水素は、ナフトールスピリッツ、ＥｘｘｏｎからのＥｓｃａｉｄ（登録商標）１１０、ＣｏｎｄｅａＶｉｓｔａからのＬＰＡ  １７０及びＰｅｎｒｅｃｏからのＣｏｎｏｓｏｌ（登録商標）２００、芳香族化合物／パラフィン／ナフタレン混合物を含む。
【００８７】
上記のような本発明の官能性カチオン性ポリマーは、パーソナルケア組成物、より特に髪及び皮膚ケア組成物において大変有用であることが見出された。これらの組成物は一般的に、パーソナルケア組成物に望ましい化粧品特性を付与する有効量において用いられる少なくとも１種の化粧品的機能剤（ｃｏｓｍｅｔｉｃａｌｌｙ−ｆｕｎｃｔｉｏｎａｌ  ａｇｅｎｔ）を含有するであろう。
【００８８】
ここで用いた「化粧品的機能剤」の用語は、髪又は皮膚へ美容上の効果のために適用される如何なる物質、化合物又は組成物を意味する。典型的な化粧品的機能剤は例えば、皮膚軟化剤、保湿剤、滑剤、紫外線吸収剤、太陽光なしのタンニング剤（例えばＤＨＡ）、抗酸化剤、フリーラジカル捕捉剤、防腐剤、色素、深紅色顔料（ｄｙｅ  ｌａｋｅｓ）、染料、その他の着色剤、ポリシロキサン及びそれらの種々の誘導体のようなエステティック増進剤、レオロジー調製剤、天然ポリマー及びそれらの種々の誘導体及びコポリマー（例えば、デンプン、セルロースポリマー、グルカン及びそれらの誘導体）、香水及び香料、フィルム形成剤（ウォータープルーフ剤）、消毒剤、抗真菌剤、抗菌剤、及びその他の薬剤、溶媒、界面活性剤、天然又は合成ポリマー、その他の調整剤及び髪固定剤を含む。そのような化粧品的機能剤はまた、鉱物油、グリセリン、蜜蝋、ラノリン、アセチル化されたラノリン、ステアリン酸、パルミチン酸、セチルアルコール、オレフィンスルホン酸のナトリウム塩、種々のタンパク質及びその誘導体、重合化糖類、ポリクオタニウムのような調整剤、ポリ（ビニルピロリドン）及びポリビニルピロリドンとその他のモノマーとのコポリマー及びポリビニルホルムアミドのような髪固定剤を含む。
【００８９】
化粧品的機能剤は、パーソナルケア組成物において、パーソナルケア組成物の全質量に基づいて０．０１乃至６０質量％の量で存在し得る。
【００９０】
１つの実施態様において、本発明は、
Ａ）０．１乃至９９．９質量％、好ましくは２０質量％乃至９９質量％の、一般式（Ｉ）で表され、式中、Ｒは水素原子又は炭素原子数１乃至４のアルキル基を表し；Ｒ1及びＲ2は各々それぞれ独立して、１乃至１８個の炭素原子を有するアルキル基、ヒドロキシアルキル基、カルボキシアルキル基、カルボキサミドアルキル基、又はアルコキシアルキル基を表し；Ｍｃは、（メタ）アクリルアミド又は（メタ）アクリレートのような任意のモノマー（Ｃ）からの残基を表し；ｎ、ｍ及びｐは一般式（Ｉ）で表されるカチオン性反応物のそれぞれ対応するかっこ中の繰り返し単位のモル分率を表し；ｍ＋ｎ＋ｐ＝１を表し；そしてＹ-はアニオンを表すものである、
少なくとも１種のカチオン性反応物を、
０．１乃至９９．９質量％の、疎水性又は親水性、アニオン性、カチオン性、両性又は非イオン性であり得、及び一般式（Ｉ）で表されるポリマーの骨格上のアミノ基と反応性があるものである、少なくとも1種の反応性官能性化合物（グラフト剤）、
と反応させることにより得られる主骨格を有する重合性官能性カチオン性コポリマー、
Ｂ）少なくとも１種の化粧品的機能剤、及び
Ｃ）少なくとも１種の化粧品的に許容される助剤
を含む、パーソナルケア又は化粧品組成物に関する。
【００９１】
本発明によるパーソナルケア組成物は、好ましくは、
（Ａ）組成物の全質量に基づいて０．０１乃至１５質量％、例えば０．５乃至１０質量％の、アミノ変性カチオン性「基本」ポリマーを「基本」ポリマー上のアミノ基と反応し得る、少なくとも１種の官能性化合物と反応させることにより得られた少なくとも１種の水溶性官能性カチオン性ポリマー、そして
（Ｂ）０．０１乃至６０質量％、例えば１乃至４０質量％の少なくとも１つの化粧品機能剤、そして
（Ｃ）少なくとも１種の美容的に許容できる助剤が残部
を含む。
【００９２】
パーソナルケア製品の生成の１つの実施態様において、官能性カチオン性ポリマーは、上記に定義したように一般式（Ｉａ）又は（Ｉｂ）により表され得、
式中、Ｒ1及びＲ2は、各々それぞれ独立して、水素原子、１乃至１８個の炭素原子を有するアルキル基、ヒドロキシルアルキル基、カルボキシアルキル基、カルボキサミドアルキル基、又はアルコキシアルキル基を表し；Ｍｃは所望によるモノマーＣからの残基を表し；そしてＹ-は、無機又は有機であり得るアニオンを表し；Ｆｇはカチオン性アミノ官能
性「基本」ポリマーへグラフトさせるために用いられる少なくとも１つの官能性反応物からの残基を表し；Ｒ3は、水素原子、炭素原子数１乃至４のアルキル基又はＦｇを表し；
ｍ、ｎ及びｐは一般式（Ｉａ）又は（Ｉｂ）で表されるポリマーのそれぞれ該当するかっこ内の繰り返し単位のモル分率を表し；及び★は、例えば触媒残基のような末端基を表す。
【００９３】
パーソナルケア用組成物は、非常に広い範囲の製品を含む。適当な製品は、とりわけ、毛髪用化粧品調製品、例えば、シャンプー及びコンディショナーの形態の毛髪洗浄用調製品、ヘアケア用調製品、例えば、前処理用調製品、ヘアートニック、スタイリングクリーム、スタイリングゲル、ポマード、ヘアーリンス、強度なコンディショニングトリートメント、集中的ヘアートリートメントのようなヘアケア製品、毛髪構成化用調製品、例えば、パーマネントウェーブ用ヘアーウェーブ用調製品（ホットウェーブ、マイルドウェーブ、コールドウェーブ）、直毛化用調製品、又はリラックス製品、液体ヘアーセット用調製品、ヘアーフォーム、ヘアースプレー、漂白用調製品、例えば、過酸化水素溶液、淡色化シャンプー、漂白クリーム、漂白パウダー、漂白ペースト若しくはオイル、一時的、半永久性若しくは耐久性毛髪着色料、自己酸化性染料を含む調製品またはヘナ若しくはカモミールのような天然毛髪着色料、及びマスカラ等が含まれる。
【００９４】
これらはまた、洗い流す及びそのまま付けておくのスキンケア製品、例えば、柔軟、保湿及び皺予防用のクリーム、ローション及びジェル；光保護製品、例えばサンタンローション、クリーム及びオイル、日焼け止め及び日焼け前及び太陽光なしのタンニング製品；治療用組成物、例えば抗にきび及び抗乾癬クリーム、ジェル及びペースト、並びにスキンカラーリング製品、例えば、リップスティック、リップグロス、アイシャドウ、液体メイクアップ、デイクリーム又はパウダー、及びフェイシャルローション、クリーム及びルース又はプレスドパウダーの形態におけるフェイシャルメイクアップを含む。
【００９５】
パーソナルケア組成物は多くの異なる製品の形態であり得、例えば、シャンプー、バス又はシャワー添加剤、ヘアケア製品、ワックス／脂肪組成物、液体及び固体石鹸、ローション、ジェル、クリーム、軟膏、又はその他の液体又はアルコール性又は水性／アルコール性溶液があり得る。
【００９６】
上記で列挙したパーソナルケア用組成物は、例えば、以下に示すような非常に広い範囲の物理的形態であり得る。
−水中油型（Ｏ／Ｗ）乳液のような液体配合物の形態、
−ゲルの形態、
−オイル、クリーム、ミルク又はローションの形態、
−スプレー（高圧ガススプレー又はポンプスプレー）又はエーロゾルの形態、
−フォームの形態、又は
−ペーストの形態。
【００９７】
本発明によるパーソナルケア剤形における界面活性化合物（界面活性剤）の選択及び存在する量は、その組成物の使用目的に依存するであろう。パーソナルケア組成物において、熟練した配合者に良く知られたような、異なる界面活性剤系が選択され得る。存在する界面活性剤の全量はまた、使用最終目的に依存し得、そして６０質量％と同等の高さであり得る。典型的には、組成物は、少なくとも２質量％、例えば、２乃至６０％、好ましくは１５乃至４０％、そして最も好ましくは２５乃至３５％の界面活性剤を含有し得る。
【００９８】
パーソナルケア組成物が水中油型（Ｏ／Ｗ）乳剤の液体剤形である場合、油状成分は、パーソナルケア組成物の全質量に基づいて、好ましくは５乃至５０質量％そしてより好ましくは１０乃至３５質量％である。
【００９９】
乳化剤は、例えば、パーソナルケア組成物の全質量に基づいて、例えば１乃至３０質量％、好ましくは４乃至２０質量％そして特に５乃至１０質量％の量で使用され得る。
【０１００】
水中油型乳剤での処方の場合、乳剤系の量は好ましくは、油相の質量に基づき５％乃至２０％に相当する。
水中油型剤形において、オイル相（オイル成分）は、以下の物質群から選択され得る。
【０１０１】
脂肪アルコール：
セチルアルコール、ステアリルアルコール、セテアリールアルコール、オレイルアルコール、オクチルドデカノール、炭素原子数１２乃至１５のアルコールのベンゾエート、アセチル化ラノリンアルコール等を含む、６乃至１８個の、好ましくは８乃至１０個の炭素原子を有する脂肪アルコールに基づくゲルべアルコール（Ｇｕｅｒｂｅｔ ａｌｃｏｈｏ
ｌ）。
【０１０２】
脂肪酸のエステル：
直鎖の炭素原子数６乃至２４の脂肪酸と直鎖の炭素原子数３乃至２４のアルコールのエステル、分枝の炭素原子数６乃至１３のカルボン酸と直鎖の炭素原子数６乃至２４の脂肪アルコールのエステル、直鎖の炭素原子数６乃至２４の脂肪酸と分枝アルコール、特に、２−エチルヘキサノール、のエステル、ヒドロキシカルボン酸と直鎖又は分枝の炭素原子数６乃至２２の脂肪アルコールのエステル、特に、ジオクチルマレート、直鎖の及び／又は分枝の脂肪酸と多価アルコール（例えば、プロピレングリコール、ダイマージオール又はトライマートリオール）及び／又はゲルべアルコールのエステル、例えば、カプロン酸、カプリル酸、２−エチルヘキサン酸、カプリン酸、ラウリン酸、イソトリデカン酸、ミリスチン酸、パルミチン酸、パルミトレイン酸、ステアリン酸、イソステアリン酸、オレイン酸、エライジン酸、ペトロセリン酸、リノール酸、リノレン酸、エラエオステアリン酸、アラキド酸、ガドレイン酸、ベヘン酸及びエルカ酸及びその工業等級混合物（例えば、天然脂肪及びオイルの圧力除去で、ローレン オキソ合成（Ｒｏｅｌｅｎ'ｓ ｏｘｏｓ
ｙｎｔｈｅｓｉｓ）からのアルデヒドの還元で又は不飽和脂肪酸のダイマー化で得られる。）とアルコール、例えば、イソプロピルアルコール、カプロンアルコール、カプリルアルコール、２−エチルヘキシルアルコール、カプリンアルコール、ラウリルアルコール、イソトリデシルアルコール、ミリスチルアルコール、セチルアルコール、パームオレイルアルコール（ｐａｌｍｏｌｅｙｌ ａｌｃｏｈｏｌ）、ステアリルアルコール、イソステ
アリルアルコール、オレイルアルコール、エライジルアルコール、ペトロセリニルアルコール、リノイルアルコール、リノレニルアルコール、エラエオステアリルアルコール、アラキジルアルコール、ガドレイルアルコール、べへニルアルコール、エルシルアルコール及びブラシジルアルコール及びその工業等級混合物（例えば、脂肪及びオイルを基にした工業等級メチルエステル又はローレンオキソ合成からのアルデヒドの高圧水素化で、及び不飽和脂肪酸アルコールのダイマー化でモノマーとして得られる。）のエステル。
【０１０３】
このようなエステルオイルの例は、イソプロピルミリステート、イソプロピルパルミテート、イソプロピルステアレート、イソプロピルイソステアレート、イソプロピルオレアート、ｎ−ブチルステアレート、ｎ−ヘキシルラウレート、ｎ−デシルオレアート、イソオクチルステアレート、イソノニルステアレート、イソノニルイソノナノエート、２−エチルヘキシルパルミテート、２−ヘキシルラウレート、２−ヘキシルデシルステアレート、２−オクチルドデシルパルミテート、オレイルオレアート、オレイルエルケート、エルシルオレアート、エルシルエルケート、セテアリールオクタノエート（ｃｅｔｅａｒｙｌ
ｏｃｔａｎｏａｔｅ）、セチルパルミテート、セチルステアレート、セチルオレアート
、セチルベヘネート、セチルアセテート、ミリスチルミリステート、ミリスチルベヘネート、ミリスチルオレアート、ミリスチルステアレート、ミリスチルパルミテート、ミリスチルラクテート、プロピレングリコールジカプリレート／カプレート、ステアリルヘプタノエート、ジイソステアリルマレート、オクチルヒドロキシステアレート等である。
【０１０４】
使用され得る更なるオイル成分は、ジ（２−エチルヘキシル）−２，６−ナフタレート、ジ−ｎ−ブチルアジペート、ジ（２−エチルヘキシル）−アジペート、ジ（２−エチルヘキシル）スクシネートのようなジカルボン酸エステル及び、エチレングリコールジオレアート、エチレングリコールジイソトリデカノエート、プロピレングリコールジ（２−エチルヘキサノエート）、プロピレングリコールジイソステアレート、プロピレングリコールジぺラルゴネート、ブタンジオールジイソステアレート及びネオペンチルグリコールジカプリレートのようなジオールエステルである。炭素原子数６乃至２４の脂肪アルコール及び／又はゲルべアルコールと飽和及び／又は不飽和の芳香族カルボン酸、特に安息香酸、とのエステル、炭素原子数２乃至１２のジカルボン酸と１乃至２２個の炭素原子を有する直鎖又は分枝のアルコール又は２乃至１０個の炭素原子及び２乃至６個のヒドロキシ基を有するポリオールのエステルもまた用いられ得る。
【０１０５】
グリセリルエステル及び誘導体を含む天然又は合成トリグリセリド。
炭素原子数６乃至１８の脂肪酸に基づく、他のアルコールとの反応によって変性されたジ又はトリグリセリド（カプリル／カプリントリグリセリド、小麦胚芽グリセリド等）、ポリグリセリン（ポリグリセリル−４カプレート、ポリグリセリル−２イソステアレート等のようなポリグリセリル−ｎ）、又はヒマシ油（リシヌス コミュニス（Ｒｉｃｉｎｕ
ｓ Ｃｏｍｍｕｎｉｓ））、水素化植物油、スイートアーモンド油、小麦胚芽油、ごま油
、水素化綿実油、ココナッツ油、アボカド油、コーン油、水素化ヒマシ油、シアバター、ココアバター、大豆油、ミンク油、ヒマワリ油、ベニバナ油、マカダミアナッツ油、オリーブ油、水素化牛脂、アプリコット種油、へーゼルナッツ油、ボラゴ油等の脂肪酸エステルもまた用いられ得る。
【０１０６】
ワックス
ワックスは、長鎖酸とアルコールのエステル並びにワックスのような性質を有する化合物を含むワックス、例えば、カルナウバワックス（コペルニシア セリフェラ（Ｃｏｐｅ
ｒｎｉｃｉａＣｅｒｉｆｅｒａ））、ビーズワックス（白色又は黄色）、ラノリンワックス、カンデリラワックス（ユホービア セリフェラ（Ｅｕｐｈｏｒｂｉａ Ｃｅｒｉｆｅｒａ））、オゾケライト、日本ワックス、パラフィンワックス、ミクロクリスタリンワックス、セレシン、セテアリールエステルワックス、合成ビーズワックス等、また、セテアリ
ールアルコール又は部分グリセリドとしての親水性ワックスを含む。
【０１０７】
真珠光沢のあるワックス：
これは、アルキレングリコールエステル、特に、エチレングリコールジステアレート；脂肪酸アルカノールアミド、特に、ココ脂肪酸ジエタノールアミド（ｃｏｃｏ ｆａｔｔ
ｙ ａｃｉｄ ｄｉｅｔｈａｎｏｌａｍｉｄｅ）；部分グリセリド、特に、ステアリン酸モノグリセリド；多価の、未置換又はヒドロキシ置換カルボン酸と６乃至２２個の炭素原子を有する脂肪アルコールのエステル、特に、酒石酸の長鎖化エステル；脂肪物質、例えば、脂肪アルコール、脂肪ケトン、脂肪アルデヒド、脂肪エーテル及び脂肪カルボネート、該脂肪物質は、合計して少なくとも２４個の炭素原子を有し、特には、ラウロン（ｌａｕｒｏｎｅ）及びジステアリルエーテル；ステアリン酸、ヒドロキシステアリン酸又はベヘン酸のような脂肪酸、１２乃至２２個の炭素原子を有するオレフィンエポキシドと１２乃至２２個の炭素原子を有する脂肪アルコール、及び／又は２乃至１５個の炭素原子及び２乃至１０個のヒドロキシ基を有するポリオールの環開生成物、及びその混合物を含む。
【０１０８】
炭化水素油：
これは、鉱油（軽又は重）、ペトロラタム（黄色又は白色）、ミクロクリスタリンワックス、パラフィン及びイソパラフィン化合物、ポリデセンとしての水素化イソパラフィン分子、及びポリブテン、水素化ポリイソブテン、スクアラン、イソヘキサデカン、イソドデカン、及び植物及び動物界からの他のものを含む。
【０１０９】
シリコーン又はシロキサン（有機置換ポリシロキサン）：
これは、ジメチルポリシロキサン、メチルフェニルポリシロキサン、環状シリコーン、及び又、アミノ−、脂肪酸−、アルコール−、ポリエーテル−、エポキシ−、弗素−、グリコシド−及び／又はアルキル変性シリコーン化合物で、室温で液体又は樹脂状形態であり得る；直鎖ポリシロキサン：ダウ コーニング（登録商標：Ｄｏｗ Ｃｏｒｎｉｎｉｇ）２００液体、ミラシル（登録商標：Ｍｉｒａｓｉｌ）ＤＭ（ローディア）、ジメチコノールのようなジメチコーン。環状シリコーン液体：ダウ コーニング（登録商標：ＤｏｗＣ
ｏｒｎｉｎｉｇ）３４５液体、シルビオン（登録商標：Ｓｉｌｂｉｏｎｅ）等級、アビル（登録商標：Ａｂｉｌ）等級のようなシクロペンタシロキサン揮発物；フェニルトリメチコーン：ダウ コーニング（登録商標：Ｄｏｗ Ｃｏｒｎｉｎｉｇ）５５６液体を含む。また、ジメチルシロキサン単位２００乃至３００個の平均鎖長を有するジメチコーンと水素化シリケートの混合物であるシメチコーンも適当である。詳細は、トッド（Ｔｏｄｄ）らによる、適当な揮発性シリコーンの調査は、Ｃｏｓｍ．Ｔｏｉｌ．９１巻，２７号（１９７６年）で更に見られる得る。
【０１１０】
フルオロ化又はペルフルオロ化オイル：
これは、ペルフルオロヘキサン、ジメチルシクロヘキサン、エチルシクロペンタン（フルテック（登録商標：Ｆｌｕｔｅｃ）等級）、及びポリペルフルオロメチルイソプロピルエーテル（フォムブリン（登録商標：Ｆｏｍｂｌｉｎ）等級）が含まれる。
【０１１１】
乳化剤：
いかなる慣用の有用な乳化剤もパーソナルケア用組成物のために使用され得る。乳化剤系は、例えば、以下のものを含み得る；
カルボン酸及びその塩：
例えば、炭素原子数８乃至２４、好ましくは炭素原子数１４乃至２０の飽和又は不飽和脂肪酸の塩、炭素原子数８乃至２２の第一又は第二アルキルスルホン酸塩、アルキルグリセロールスルホン酸塩、英国特許第１，０８２，１７９号明細書に記載のポリカルボン酸のスルホン酸塩、パラフィンスルホン酸塩、Ｎ−アシル、Ｎ'−アルキルタウレート、ア
ルキルホスフェート、ｉｓｅｔｈｉｏｎａｔｅｓ、アルキルスクシンアミド酸（ａｌｋｙ
ｌｓｕｃｃｉｎａｍａｔｅｓ）、アルキルスルホスクシネート、スルホスクシネートのモノエステル又はジエステル、Ｎ−アシルサルコシネート、アルキルグルコシド硫酸塩、ポリエトキシカルボキシレート、アルカリ金属（ナトリウム、カリウム、リチウム）であるカチオン、非置換又は置換されたアンモニウム残基（メチル、ジメチル、トリメチル、テトラメチルアンモニウム、ジメチルピぺリジニウム、等）又はアルカノールアミン（モノエタノールアミン、ジエタノールアミン、トリエタノールアミン、等）等の誘導体；
国際出願公開第９６／３７１９２号パンフレットに開示しているような、１７−ヒドロキシオクタデセン酸、及びスフィンゴ及びグリコリピッドから誘導された、酸又はラクトンの形態のような、ソフォロリピッド（ｓｏｐｈｏｒｏｌｉｐｉｄｓ）；
ナトリウム、カリウム及びアンモニウムのアルカリ石鹸、カルシウム又はマグネシウムの金属石鹸、ラウリン酸、パルミチン酸、ステアリン酸及びオレイン酸等のような有機ベース石鹸等；アルキルホスフェート又はリン酸エステル：酸ホスフェート、ジエタノールアミンホスフェート、カリウムセチルホスフェート；
その他の非イオン性界面活性剤は以下を含む：下記一般式のアルキルエステルスルホン酸塩；
Ｒ100−ＣＨ（ＳＯ3Ｍ）−ＣＯＯＲ200、
式中、Ｒ100は炭素数８乃至２０、好ましくは炭素数１０乃至１６のアルキル基を表し
、Ｒ200は炭素数１乃至１６、好ましくは炭素数１乃至３のアルキル基を表し、そしてＭ
はアルカリカチオン（ナトリウム、カリウム、リチウム）、置換又は非置換のアンモニウム（メチル、ジメチル、トリメチル、テトラメチルアンモニウム、ジメチルピペリジニウム、等）又はアルカノールアミン（モノエタノールアミン、ジエタノールアミン、トリエタノールアミン、等）の誘導体を表す；
一般式Ｒ300ＯＳＯ3Ｍのアルキル硫酸塩、式中Ｒ300は炭素原子数５乃至２４、好まし
くは炭素原子数１０乃至１８のアルキル基又はヒドロキシルアルキル基を表し、そしてＭは水素原子又は上記に定義したようなカチオンを表し、そして平均０．５乃至３０、好ましくは０．５乃至１０個のＥＯ及び／又はＰＯ単位を有するそれらのエチレンオキシ（ＥＯ）及び／又はプロピレンオキシ（ＰＯ）誘導体；
下記一般式のアルキルアミド硫酸塩
Ｒ400ＣＯＮＨＲ500ＯＳＯ3Ｍ、
式中、Ｒ400は炭素原子数２乃至２２、好ましくは炭素原子数６乃至２０のアルキル基
を表し、Ｒ500は炭素原子数２乃至３のアルキル基を表し、そしてＭは水素原子又は上記
に定義したようなカチオンを表し、そして平均０．５乃至６０個のＥＯ及び／又はＰＯ単位を有するこれらのエチレンオキシ（ＥＯ）及び／又はプロピレンオキシ（ＰＯ）誘導体。
本発明の組成物は、非イオン性界面活性剤を含み得る。用い得る非イオン性界面活性剤は、第一及び第二アルコールエトキシレート、特にアルコールのモル当り平均１乃至２０モルのエチレンオキシドでエトキシル化された炭素原子数８乃至２０の脂肪アルコール、及び特にアルコールのモル当り平均１乃至１０モルのエチレンオキシドでエトキシル化された炭素原子数１０乃至１５の第一及び第二脂肪アルコールを含む。非エトキシ化非イオン性界面活性剤は、アルキルポリグリコシド、グリセロールモノエーテル、及びポリヒドロキシルアミド（グルカミド）を含む。
【０１１２】
そのような、非イオン性界面活性剤の幾つかの特別な例は以下を含む：
ポリアルコキシレン化（ｐｏｌｙａｌｋｏｘｙｌｅｎａｔｅｄ）アルキルフェノール類（即ち、ポリエチレンオキシ、ポリプロピレンオキシ、ポリブチレンオキシ）、そのアルキル置換基は６乃至１２個の炭素原子を有し、そして５乃至２５個のアルコキシレン化単位を含む；例としてＲｏｈｍ  ＨａａｓＣｏ．より入手可能なＴＲＩＴＯＮ  Ｘ−４５、Ｘ−１１４、Ｘ−１００及びＸ−１０２、及びＲｈｏｄｉａにより製造されたＩＧＥＰＡＬ
ＮＰ２乃至ＮＰ１７；
１乃至２５個のアルコキシレン化（エチレンオキシ、プロピレンオキシ）単位を含む炭素
原子数８乃至２２のポリアルコキシレン化脂肪族アルコール；例としては、Ｄｏｗより入手可能なＴＥＲＧＩＴＯＬ  １５−Ｓ−９、ＴＥＲＧＩＴＯＬ２４−Ｌ−６ＮＭＷ、Ｓｈｅｌｌ  ＣｈｅｍｉｃａｌＣｏ．より入手可能なＮＥＯＤＯＬ  ４５−９、ＮＥＯＤＯＬ
２３−６５、ＮＥＯＤＯＬ  ４５−７及びＮＥＯＤＯＬ  ４５−４、Ｔｈｅ  Ｐｒｏｃｔｅｒ＆ＧａｍｂｌｅＣｏ．より入手可能なＫＹＲＯ  ＥＯＢ、ＩＣＩにより製造されたＳＹＮＰＥＲＯＮＩＣ  Ａ３乃至Ａ９、Ｒｈｏｄｉａにより製造されたＲＨＯＤＡＳＵＲＦ  ＩＴ，ＤＢ及びＢ；
ＢＡＳＦにより入手可能なＰＬＵＲＯＮＩＣのような、２，０００乃至１０，０００の範囲の分子量をもつ、エチレンオキシド又はプロピレンオキシドとプロピレングリコール及び／又はエチレングリコールとの縮合により得られた生成物；
ＢＡＳＦにより入手可能なＴＥＴＲＯＮＩＣのような、エチレンオキシド及び／又はプロピレンオキシドとエチレンジアミンとの縮合により得られる生成物；
５乃至２５個のエチレンオキシ及び／又はプロピレンオキシ単位を含む、炭素原子数８乃至１８のエトキシル及び／又はプロポキシル脂肪酸；
５乃至３０個のエチレンオキシ単位を含む、炭素原子数８乃至２０の脂肪酸アミド；
５乃至３０個のエチレンオキシ単位を含むエトキシ化されたアミン；
１乃至５０個の、好ましくは１乃至２５個そして特に２乃至２０個のアルキレンオキシ（好ましくはエチレンオキシ）単位を含むアルコキシ化されたアミドアミン；
アルキル炭素原子数１０乃至１８のジメチルアミンのオキシド、アルコキシ炭素原子数８乃至２２のエチルジヒドロキシエチルアミンのオキシドのようなアミンオキシド；
エトキシ化された及び／又はプロポキシ化されたα−又はβ−ピネン類のような、１乃至３０エチレンオキシ及び／又はプロピレンオキシ単位を含む、アルコキシ化テルペン炭化水素；
グルコースと第一脂肪アルコールの縮合（例えば酸触媒により）により得られるアルキルポリグリコシド類であり、例えば、米国特許第３，５９８，８６５号明細書及び米国特許第４，５６５，６４７号明細書；及び欧州特許出願公開第１３２０４３号明細書及び欧州特許出願公開第１３２０４６号明細書に記載のもの、炭素原子数４乃至２０、好ましくは炭素原子数８乃至１８のアルキル基を有し、そして平均グルコース単位数がほぼ０．５乃至３程度、好ましくはアルキルポリグリコシド（ＡＰＧ）のモルあたり１．１乃至１．８、特に炭素原子８乃至１４のアルキル基を有しそしてモル当り平均１．４グルコース単位、炭素原子数１２乃至１４のアルキル基を有しそしてモル当り平均１．４グルコース単位、炭素原子数８乃至１４のアルキル基を有し、そしてモル当り平均１．５グルコース単位、又は炭素原子数８乃至１０のアルキル基を有しそしてモル当り平均１．６グルコース単位である、それぞれＨｅｎｋｅｌにより製造されたＧＬＵＣＯＰＯＮ６００ＥＣ、ＧＬＵＣＯＰＯＮ６００ＣＳＵＰ、ＧＬＵＣＯＰＯＮ６５０ＥＣ及びＧＬＵＣＯＰＯＮ２２５ＣＳＵＰ；
非イオン性界面活性剤の全量は、０質量％乃至３０質量％、好ましくは１質量％乃至２５質量％、最も好ましくは２質量％乃至１５質量％であることが好ましい。
【０１１３】
その他の種類の好適な界面活性剤は、本発明と類似した組成物において使用されるモノ−長鎖アルキルカチオン性界面活性剤を含む。この種類のカチオン性界面活性剤は、一般式Ｒ10Ｒ20Ｒ30Ｒ40Ｎ+Ｘ-で表され、式中Ｒ基は長鎖又は短鎖の炭化水素；典型的にはアルキル基、ヒドロキシアルキル基又はエトキシ化されたアルキル基を表し、そしてＸはカウンターイオン（例えば、Ｒ10が炭素原子数８乃至２２のアルキル基、好ましくは炭素原子数８乃至１０又は炭素原子数１２乃至１４のアルキル基を表し、Ｒ20はメチル基を表し、そしてＲ30及びＲ40は、同じでも異なってもよい、メチル基又はヒドロキシエチル基を表す化合物）；及びカチオン性エステル（例えば、コリンエステル）で表される四級アンモニウム塩を含む。
【０１１４】
また有用なものはエトキシ化カルボン酸又はポリエチレングリコールエステル（ＰＥＧ
−ｎ アクリレート）であり、１２乃至２２個の炭素原子を有する脂肪酸及びアルキル基
に８乃至１５個の炭素原子を有するアルキルフェノールを有する２乃至３０モルのエチレンオキシドから及び／又は０乃至５モルのプロピレンオキシドからの生成物である、８乃至２２個の炭素原子を有する直鎖状脂肪アルコール、ラウレス−ｎ、セテアレス−ｎ、ステアレス−ｎ、オレス−ｎのような脂肪アルコールポリグリコールエーテル、ＰＥＧ−ｎステアレート、ＰＥＧ−ｎオレアート、及びＰＥＧ−ｎココエートのような脂肪酸ポリグリコールエーテル；
モノグリセリド及びポリオールエステル；１乃至３０モルのエチレンオキシドとポリオールの付加生成物の炭素原子数１２乃至２２の脂肪酸モノ及びジエステル；
モノステアレートグリセロール、ジイソステアロイルポリグリセリル−３−ジイソステアレート、ポリグリセリル−３−ジイソステアレート、トリグリセリルジイソステアレート、ポリグリセリル−２−セスキイソステアレート、又はポリグリセリルダイメレートのような脂肪酸とポリグリセロールのエステルである。多数のそれらの物質類からの化合物の混合物も又適当である。モノステアレートジエチレングリコールのような脂肪酸ポリグリコールエステル、脂肪酸とポリエチレングリコールのエステル、スクロエステルのような脂肪酸とサッカロースのエステル、スクログリセリドのようなグリセロースとサッカロースのエステル；
ソルビトール及びソルビタン：６乃至２２個の炭素原子を有する飽和及び不飽和脂肪酸とエチレンオキシド付加生成物のソルビタンモノ及びジエステル；
ポリソルベート−ｎ系列、セスキイソステアレートのようなソルビタンエステル、ソルビタン、ＰＥＧ−（６）−イソステアレートソルビタン、ＰＥＧ−（１０）−ソルビタンラウレート、ＰＥＧ−１７−ジオレアートソルビタン；
グルコース誘導体：炭素原子数８乃至２２のアルキルモノ及びオリゴグリコシド及び糖成分としてグルコースが好まれるエトキシ化された類似体；メチルグルセス２０セスキステアレート、ソルビタンステアレート／スクロースココエート、メチルグルコースセスキステアレート、セテアリールアルコール／セテアリールグルコシドのようなオイル／水乳化剤；メチルグルコースジオレアート／メチルグルコースイソステアレートのような水／オイル乳化剤。
【０１１５】
サルフェート及びスルホン化誘導体：
ジアルキルスルホスクシネート（例えば、ＤＯＳＳ：ジオクチルスルホスクシネート）、アルキルラウリルスルホネート、直鎖状スルホン化パラフィン、スルホン化テトラプロピレンスルホネート、ラウリル硫酸ナトリウム、ラウリル硫酸アンモニウム及びラウリル硫酸エタノールアミン、ラウリルエーテルサルフェート、ラウレス硫酸ナトリウム、アセチルイソチオネート；タウリン、メチルタウリンのようなアルカノールアミドサルフェート、及びイミダゾールサルフェート。
アミン誘導体：
これらは、アミン塩、オキシドアミンのような、アルキルイミダゾリン等の複素環を含有する鎖状を有するエトキシ化されたアミン、ピリジン誘導体、イソキノリン、塩化セチルピリジニウム、臭化セチルピリジニウム、セチルトリメチル臭化アンモニウムのような四級アンモニウム化合物、ステアリルアルコニウム（Ｓｔｅａｒｙｌ ａｌｋｏｎｉｕｍ
）を含む；
アミド誘導体；アシルアミドＤＥＡのようなアルカノールアミド、ＰＥＧ−ｎアシルアミドのようなエトキシ化アミド、オキシデアミド（ｏｘｙｄｅａｍｉｄｅ）；
ポリシロキサン／ポリアルキル／ポリエーテルコポリマー及び誘導体：ジメチコーン、コポリオール、シリコーンポリエチレンオキシドコポリマー、及びシリコーングリコールコポリマー；
プロポキシ化又はＰＯＥ−ｎエーテル（メロキサポール（Ｍｅｒｏｘａｐｏｌ））、ポラキサマー（Ｐｏｌａｘａｍｅｒ）又はポリ（オキシエチレン）ｍ−ブロック−ポリ（オキシプロピレン）ｎ−ブロック（オキシエチレン）コポリマー；
分子中に少なくとも１種の四級アンモニウム基及び少なくとも１種のカルボキシレート及び／又はスルホネート基を有する双性イオン界面活性剤。特に適当な双性イオン界面活性剤は、Ｎ−アルキル−Ｎ，Ｎ−ジメチルアンモニウムグリシネート、例えば、ココアルキルジメチルアンモニウムグリシネート、Ｎ−アシルアミノプロピル−Ｎ，Ｎ−ジメチルアンモニウムグリシネート、例えば、ココアシルアミノプロピルジメチルアンモニウムグリシネート、及び２−アルキル−３−カルボキシメチル−３−ヒドロキシエチルイミダゾリン（各々、アルキル基又はアシル基中に８乃至１８個の炭素原子を有する。）、及び又、ココアシルアミノエチルヒドロキシエチル−カルボキシ−メチルグリシネート、Ｎ−アルキルベタイン、及びＮ−アルキルアミノベタインのようないわゆるベタインを含む。
アルキルイミダゾリン、アルキロペプチド（ａｌｋｙｌｏｐｅｐｔｉｄｅ）、リポアミノ酸。
自己乳化性基剤（Ｋ．Ｆ．ＤｅＰｏｌｏ−美容術のショートテキストブック，第８章，表８−７，２５０乃至２５１頁参照）：
ＰＥＧ−６ビーズワックス（及び）ＰＥＧ−６ステアレート及びポリグリセリル−２イソステアレート［アピファク（Ａｐｉｆａｃ）］、グリセリルステアレート（及び）ＰＥＧ−１００ステアレート、［アーラセル１６５］、ＰＥＧ−５グリセリルステアレート［アーラトン９８３Ｓ］、ソルビタンオレアート（及び）ポリグリセリル−３リシノレート、［アーラセル１６８９］、ソルビタンステアレート及びスクロースココエート［アーラトン２１２１］、グリセリルステアレート及びラウレス−２３［セラシンス９４５］、セテアリールアルコール及びセテス−２０［セトマクロゴル ワックス］、セテアリールア
ルコール及びポリソルベート６０及びＰＥＧ−１５０及びステアレート−２０［ポラワックスＧＰ２００，ポラワックスＮＦ］、セテアリールアルコール及びセテアリールポリグルコシド［エムルゲードＰＬ１６１８］、セテアリールアルコール及びセテアレス−２０［エムルゲード１０００ＮＩ，コスモワックス］、セテアリールアルコール及びＰＥＧ−４０ヒマシ油［エムルゲードＦスペシャル］、セテアリールアルコール及びＰＥＧ−４０ヒマシ油及びセテアリール硫酸ナトリウム［エムルゲードＦ］、ステアリルアルコール及びステアレス−７及びステアレス−１０［エムルゲートールＥ２１５５］、セテアリールアルコール及びステアレス−７及びステアレス−１０［乳化性ワックスＵ．Ｓ．Ｎ．Ｆ］、グリセリルステアレート及びＰＥＧ−７５ステアレート［ゲロット６４］、プロピレングリコールセテス−３アセテート［ヘテスターＰＣＳ］、プロピレングリコールイソセス−３アセテート［ヘテスターＰＨＡ］、セテアリールアルコール及びセテス−１２及びオレス−１２［ランブリトールワックスＮ２１］、ＰＥＧ−６ステアレート及びＰＥＧ−３２ステアレート［テフォス１５００］、ＰＥＧ−６ステアレート及びセテス−２０及びステアレス−２０［テフォス２０００］、ＰＥＧ−６ステアレート及びセテス−２０及びグリセリルステアレート及びステアレス−２０［テフォス２５６１］、グリセリルステアレート及びセテアレス−２０［テギナシド（Ｔｅｇｉｎａｃｉｄ）Ｈ、Ｃ、Ｘ］のような非イオン性基剤；
ＰＥＧ−２ステアレートＳＥ、グリセリルステアレートＳＥ［モネルギン，クティナＫＤ］、及びプロピレングリコールステアレート［テギンＰ］のようなアニオン性アルカリ基剤。
セテアリールアルコール及びセテアリール硫酸ナトリウム［ラネッテＮ、クティナＬＥ、クロダコールＧＰ］、セテアリールアルコール及びラウリル硫酸ナトリウム［ラネッテＷ］、トリラネス−４ホスフェート及びグリコールステアレート及びＰＥＧ−２ステアレート［セデフォス７５］、グリセリルステアレート及びラウリル硫酸ナトリウム［テギナシドスペシャル］のようなアニオン性酸基剤；及び
セテアリールアルコール及びセトリモニウムブロミドのようなカチオン性酸基剤。
【０１１６】
補助剤及び添加剤：
パーソナルケア用組成物、例えば、クリーム、ゲル、ローション、アルコール溶液又は水／アルコール溶液、乳濁液、ワックス／脂肪組成物、又は軟膏は、更なる補助剤及び添
加剤として、更に、穏やかな界面活性剤、過脂肪剤、稠度調節剤、更なる増粘剤、ポリマー、安定剤、生物学的活性成分、脱臭活性成分、抗ふけ剤、フィルム形成体、膨潤剤、紫外線保護因子、抗酸化剤、ヒドロトロープ剤、防腐剤、防虫剤、可溶化剤、香油、着色剤、微生物抑制剤等を含み得る。
【０１１７】
補助剤及び添加剤は、パーソナルケア用組成物中に、パーソナルケア組成物の総質量に基づき、例えば、０．１質量％乃至２５質量％の量で所望により存在し得る。
【０１１８】
過脂肪剤：
過脂肪剤として使用するのに適当な物質は、ラノリン及びレシチン、及び又、ポリエトキシ化又はアクリル化ラノリン及びレシチン誘導体、ポリオール脂肪酸エステル、モノグリセリド及び脂肪酸アルカノールアミドを含み、後者は、発泡安定剤として同時に作用する。
【０１１９】
界面活性剤：
適当な穏やかな界面活性剤、いわゆる特に髪に許容される界面活性剤の例は、脂肪アルコールポリグリコールエーテルサルフェート、モノグリセリドサルフェート、モノ及び／又はジアルキルスルホスクシネート、脂肪酸イソチオネート、脂肪酸サルコシネート、脂肪酸タウリド、脂肪酸グルタメート、α−オレフィンスルホネート、エーテルカルボン酸、アルキルオリゴグルコシド、脂肪酸グルカミド、アルキルアミドベタイン及び／又はタンパク質と脂肪酸の縮合物を含み、後者は、好ましくは小麦タンパク質に基づく。
【０１２０】
稠度調節剤／更なる増粘剤及び流れ調節剤：
更なる増粘剤及び流れ調節剤は、二酸化シリコーン、ケイ酸マグネシウム、ケイ酸アルミニウム、ポリサッカリド又はその誘導体、例えば、ヒアルロン酸、キサンサンゴム、グアール、寒天、アルギネート、カラゲーナン、ゲラン、ペクチン、又はヒドロキシセルロース、及びヒドロキシプロピルメチルセルロースのような変性セルロースを含む。更に、ポリアクリレート又は網状アクリル酸及びポリアクリルアミドのホモポリマー、例えば、カルボポール部類（例えば、カルボポール型９８０、９８１、１３８２、ＥＴＤ２００１、ＥＴＤ２０２０、ウルトレズ１０；ＩＮＣＩ：カルボマー）、又はサルケア（登録商標）ＳＣ１０、サルケア（登録商標）ＳＣ１１及びサルケア（登録商標）ＳＣスーパー７（全てアクリルアミドとジアリルジメチルアンモニウムクロリド（ＤＡＤＭＡＣ）とのコポリマー）、サルケア（登録商標）ＳＣ３０（ＤＡＤＭＡＣホモポリマー）、サルケア（登録商標）ＳＣ８０（ステアレス−１０アリルエーテル／アクリレートコポリマー）、サルケア（登録商標）ＳＣ８１（アクリレートコポリマー）のようなチバサルケア（登録商標）部類、疎水性担体媒体中の微粒子のアクリル酸に基づくポリマー増粘剤である、液体分散ポリマーであるチバサルケア（登録商標）部類であり、例えば、サルケア（登録商標）ＳＣ９１（アクリル酸ナトリウムコポリマー／ＰＰＧ−１トリデセス−６／ミネラルオイル）、サルケア（登録商標）ＳＣ９２（ポリクオタニウム３２／ミネラルオイル）、サルケア（登録商標）ＳＣ９５（ＰＰＧ−１トリデセス−６と共にミネラルオイル中のポリクオタニウム３７）及びサルケア（登録商標）ＳＣ９６（ＰＰＧ−１トリデセス−６と共にプロピレングリコールジカプリレートジカプレート中のポリクオタニウム３７）が挙げられ、セピゲル（登録商標）３０５（ポリアクリルアミド／ラウレス−７）、シムルゲル（登録商標）ＮＳ及びシムルゲル（登録商標）ＥＧ（ヒドロキシエチルアクリレート／ナトリウムアクリロイルジメチルタウレートコポリマー）、スタビレン（登録商標）３０（アクリレート／ビニルイソデカノエート架橋ポリマー）、ぺムレン（登録商標）ＴＲ−１（アクリレート／炭素原子１０乃至３０のアルキルアクリレート架橋ポリマー）、ルビゲル（登録商標）ＥＭ（アクリル酸ナトリウムコポリマー）、アクリン（登録商標）２８（アクリレート／べへネス−２５メタクリレートコポリマー）等。
【０１２１】
ポリマー：
適当なその他のカチオン性ポリマーは、例えば、カチオン性セルロース誘導体、例えば、アメーコール社からポリマーＪＲ４００（登録商標：ポリマーＪＲ４００）の名で得られる四級化ヒドロキシメチルセルロース、カチオン性澱粉、及びアクリルアミド、四級化ビニルピロリドン／ビニルイミダゾールポリマー、例えば、ルビクアット（登録商標：Ｌｕｖｉｑｕａｔ）（ＢＡＳＦ）、ポリグリコールとアミンの縮合物、四級化コラーゲンポリペプチド、例えば、ラウリルジモニウムヒドロキシプロピル加水分解コラーゲン（ラメルクアットＬ（登録商標：Ｌａｍｅｑｕａｔ）／グルーナウ）、四級化小麦ポリペプチド、ポリエチレンイミン、カチオン性シリコーンポリマー、例えば、アミドメチコーン、アジピン酸とジメチルアミノヒドロキシプロピルジエチレントリアミンのコポリマー（カータレチン（登録商標：Ｃａｒｔａｒｅｔｉｎ／クラリアント）、アクリル酸とジメチルジアリルアンモニウムクロリドのコポリマー（メルクアット（登録商標：Ｍｅｒｑｕａｔ）５５０／ケムビロン）、例えば、仏国特許出願公開第２２５２８４０号明細書に記載されたようなポリアミノポリアミド、及びその架橋結合した水溶性ポリマー、カチオン性キチン誘導体、例えば、所望により、微結晶として分布した四級化キトサンのカチオン性キチン誘導体；ジハロアルキル、例えば、ジブロモブタンとビスジアルキルアミンの縮合物、例えば、ビスジメチルアミノ−１，３−プロパン、カチオン性グアールゴム、例えば、セランス社製ジャガー（登録商標：Ｊａｇｕａｒ）Ｃ−１７、ジャガー（登録商標：Ｊａｇｕａｒ）Ｃ−１６、四級化アンモニウム塩ポリマー、例えば、ミラノール社製ミラポール（登録商標：Ｍｉｒａｐｏｌ）Ａ−１５、ミラポール（登録商標：Ｍｉｒａｐｏｌ）ＡＤ−１、ミラポール（登録商標：Ｍｉｒａｐｏｌ）ＡＺ−１である。アニオン性、双性イオン性、両性及び非イオン性ポリマーとして、例えば、ビニルアセテート／クロトン酸コポリマー、ビニルピロリドン／ビニルアクリレートコポリマー、ビニルアセテート／ブチルマレート／イソボルニルアクリレートコポリマー、メチルビニルエーテル／無水マレイン酸コポリマー、及びそのエステル、未架橋ポリアクリル酸及びポリオールと架橋結合したポリアクリル酸、アクリルアミドプロピルトリメチルアンモニウムクロリド／アクリレートコポリマー、アクリルアミドプロピルトリメチルアンモニウムクロリド／アクリルアミドコポリマー（チバサルケア（登録商標）ＳＣ６０）、オクチルアクリルアミド／メチルメタクリレート／第三ブチルアミノエチルメタクリレート／２−ヒドロキシプロピルメタクリレートコポリマー、ポリビニルピロリドン、ビニルピロリドン／ビニルアセテートコポリマー、ビニルピロリドン／ジメチルアミノエチルメタクリレート／ビニルカプロラクタムターポリマー、及び又、所望により誘導されたセルロースエーテル及びシリコーンが考慮される。更に、欧州特許第１０９３７９６号明細書（３乃至８頁、１７乃至６８段落）に記載されたようなポリマーも使用され得る。
【０１２２】
生物学的活性成分：
生物学的活性成分は、例えば、トコフェロール、トコフェロールアセテート、トコフェロールパルミテート、アスコルビン酸、デオキシリボ核酸、レチノール、ビサボロール、アラントイン、フィタントリオール、パンテノール、ＡＨＡ酸、アミノ酸、セラミド、擬似セラミド、エッセンシャルオイル、植物抽出物及びビタミン錯体を意味するとして理解される。
【０１２３】
脱臭活性成分：
スキンケア用の脱臭活性成分は、アルミニウムクロロハイドレート（Ｊ．Ｓｏｃ．Ｃｏｓｍ．Ｃｈｅｍ．２４巻，２８１頁（１９７３年）参照。）のような発汗抑制剤を含む。クラリアント社の商標ロクロン（商標登録：Ｌｏｃｒｏｎ）下で、例えば、式Ａｌ2（Ｏ
Ｈ）5Ｃｌ×２．５Ｈ2Ｏで表わされるアルミニウムクロロハイドレートが市販で入手可能であり、そしてその使用が特に好ましい（Ｊ．Ｐｈａｒｍ．Ｐｈａｒｍａｃｏｌ．２６巻，５３１頁（１９７５年）参照。）。クロロハイドレートの他に、アルミニウムヒドロキシアセテート及び酸性アルミニウム／ジルコニウム塩の使用も可能である。エステラーゼ
抑制剤が更なる脱臭活性成分として添加され得る。このような抑制剤は、好ましくは、トリメチルシトレート、トリプロピルシトレート、トリイソプロピルシトレート、トリブチルシトレート及び特にはトリエチルシトレート（ハイダゲン（商標登録：Ｈｙｄａｇｅｎ）ＣＡＴ，ヘンケルＫＧａＡ，デュッセルドルフ／独国）のようなトリアルキルシトレートであり、そしてそれは酵素活性を抑制し、それによって臭気の形成を減少させる。エステラーゼ抑制剤として考慮される更なる物質は、ステロールサルフェート又はホスフェート、例えば、ラノステロール、コレステロール、カンペステロール、スティグマステロール及びシトステロールサルフェート又はホスフェート、ジカルボン酸及びそのエステル、例えば、グルタル酸、グルタル酸モノエチルエステル、グルタル酸ジエチルエステル、アジピン酸、アジピン酸モノエチルエステル、アジピン酸ジエチルエステル、マロン酸及びマロン酸ジエチルエステル、及び、ヒドロキシカルボン酸及びそのエステル、例えば、クエン酸、リンゴ酸、酒石酸又は酒石酸ジエチルエステルである。病原菌叢に影響を及ぼし、かつ汗分解菌の成長を絶滅又は抑制する抗菌活性成分も同様に、製品中に存在し得る。例は、キトサン、フェノキシエタノール及びクロルへキシジングルコネートを含む。５−クロロ−２−（２，４−ジクロロフェノキシ）−フェノール（イルガサン（登録商標：Ｉｒｇａｓａｎ）DP３００，チバ スペシャルティ ケミカルズ  インコーポレーテッド）は特に効果的であった。
【０１２４】
抗ふけ剤：
抗ふけ剤は、クリムバゾール（Ｃｌｉｍｂａｚｏｌｅ）、オクトピロックス及びピリチオン亜鉛を含む。慣用のフィルム形成体は、例えば、キトサン、ミクロクリスタリンキトサン、四級化キトサン、ポリビニルピロリドン、ビニルピロリドン／ビニルアセテートコポリマー、高い割合のアクリル酸を含む四級セルロース誘導体のポリマー、コラーゲン、ヒアルロン酸、及びその塩、及び同様の化合物を含む。
【０１２５】
抗酸化剤
パーソナルケア用製品は、所望により、１種またはそれ以上の抗酸化剤を含み得る。いかなる慣用の抗酸化剤も使用され得る。
このような抗酸化剤の典型的な例は、４，４'−ジ−α−クミル−ジフェニルアミン、
モノ及びジアルキル化第三ブチル／第三オクチルジフェニルアミン、ｎ−オクタデシル３，５−ジ−第三ブチル−４−ヒドロキシヒドロシンナメート、テトラジブチルペンタエリトリチル−４−ヒドロキシヒドロシンナメート、ネオペンタンテトライルテトラキス（３，５−ジ−第三ブチル−４−ヒドロキシヒドロシンナメート）、ジ−ｎ−オクタデシル３，５−ジ−第三ブチル−４−ヒドロキシベンシルホスホネート、１，３，５−トリス（３，５−ジ−第三ブチル−４−ヒドロキシベンジル）イソシアヌレート、チオジエチレンビス（３，５−ジ−第三ブチル−４−ヒドロキシヒドロシンナメート）、１，３，５−トリメチル−２，４，６−トリス（３，５−ジ−第三ブチル−４−ヒドロキシベンジル）ベンゼン、３，６−ジオキサオクタメチレンビス（３−メチル−５−第三ブチル−４−ヒドロキシヒドロシンナメート）、２，６−ジ−第三ブチル−ｐ−クレゾール、２，２'−エチ
リデン−ビス（４，６−ジ−第三ブチルフェノール）、１，３，５−トリス（２，６−ジメチル−４−第三ブチル−３−ヒドロキシベンジル）イソシヌレート、１，１，３−トリス（２−メチル−４−ヒドロキシ−５−第三ブチル−フェニル）ブタン、１，３，５−トリス［２−（３，５−ジ−第三ブチル−４−ヒドロキシヒドロシンナモイルオキシ）エチル］イソシアヌレート、３，５−ジ−（３，５−ジ−第三ブチル−４−ヒドロキシベンジル）メシトール、ヘキサメチレンビス（３，５−ジ−第三ブチル−４−ヒドロキシヒドロシンナメート）、１−（３，５−ジ−第三ブチル−４−ヒドロキシアニリノ）−３，５−ジ（オクチルチオ）−ｓ−トリアジン、Ｎ，Ｎ'−ヘキサメチレン−ビス（３，５−ジ−
第三ブチル−４−ヒドロキシヒドロシンナアミド）、カルシウムビス（エチル３，５−ジ−第三ブチル−４−ヒドロキシベンジルホスホネート）、エチレンビス［３，３−ジ（３−第三ブチル−４−ヒドロキシフェニル）ブチレート］、オクチル３，５−ジ−第三ブチ
ル−４−ヒドロキシベンジルメルカプトアセテート、ビス（３，５−ジ−第三ブチル−４−ヒドロキシヒドロシンナモイル）−ヒドラジド、Ｎ，Ｎ'−ビス［２−（３，５−ジ−
第三ブチル−４−ヒドロキシヒドロシンナモイルオキシ）−エチル］オキサミド、直接酸化によってジ（水素化牛脂）アミンから製造されたＮ，Ｎ−ジアルキルヒドロキシルアミン、及びナトリウムベンゾトリアゾルイルブチルフェノールスルホネート（チバファスト（登録商標）H、チバ  スペシャルティ  ケミカルズ  コーポレーション）を含む。
【０１２６】
更なる適当な酸化剤は、アミノ酸（例えば、グリシン、ヒスチジン、チロシン、トリプトファン）及びその誘導体、イミダゾール（例えば、ウロカン酸）及びその誘導体、Ｄ，Ｌ−カルノシン、Ｄ−カルノシン、Ｌ−カルノシンのようなペプチド及びその誘導体（例えば、アンセリン）、カロチノイド、カロテン（例えば、α−カロテン、β−カロテン、リコペン）及びその誘導体、クロロゲン酸及びその誘導体、リポ酸及びその誘導体（例えば、ジヒドロリポ酸）、オーロチオグリコース（ａｕｒｏｔｈｉｏｇｌｙｃｏｓｅ）、プロピルチオウラシル及び他のチオール（例えば、チオレドキシン、グルタチオン、システイン、シスチン、シスタミン及びグリコシル、Ｎ−アセチル、メチル、エチル、プロピル、アミル、ブチル、ラウリル、パルミトイル、オレイル、リノレイル、コレステリル及びそのグリセリルエステル。）及び又その塩、ジラウリルチオジプロピオネート、ジステアリルチオジプロピオネート、チオジプロピオン酸及びその誘導体（エステル、エーテル、ペプチド、脂質、ヌクレオチド、ヌクレオシド及び塩）、及び又、スルホキシミン化合物（例えば、ブチオニンスルホキシミン、ホモシステインスルホキシミン、ブチオニンスルホン、ペンタ−、ヘキサ−、ヘプタチオニンスルホキシミン）、また、（金属）キレート剤（例えば、ヒドロキシ脂肪酸、パルミチン酸、フィチン酸、ラクトフェリン）、α−ヒドロキシ酸（例えば、クエン酸、乳酸、リンゴ酸）、フミン酸、胆汁酸、胆汁抽出物、ビリルビン、ビリベルジン、ＥＤＴＡ、ＥＧＴＡ及びその誘導体、不飽和脂肪酸及びその誘導体（例えば、リノレン酸、リノール酸、オレイン酸）、葉酸及びその誘導体であり、ユビキノン及びユビキノール及びその誘導体、ビタミンＣ及びその誘導体（例えば、アスコルビルパルミテート、アスコルビルリン酸マグネシウム、アスコルビルアセテート）、トコフェロール及びその誘導体（例えば、ビタミンＥアセテート）、ビタミンＡ及びその誘導体（例えば、ビタミンＡパルミテート）、及び又、ベンゾイン樹脂の針葉状ベンゾエート（ｃｏｎｉｆｅｒｙｌ ｂｅｎｚｏａｔｅ）、ルチン酸及びその誘導体、α−グリコシ
ルルチン、フェルラ酸、フルフルリデングルシトール（ｆｕｒｆｕｒｙｌｉｄｅｎ ｇｌ
ｕｃｉｔｏｌ）、カルノシン、ブチルヒドロキシトルエン、ブチルヒドロキシアニソール、ノルジヒドログアヤレチック酸（ｎｏｒｄｉｈｙｄｒｏｇｕａｉａｒｅｔｉｃ ａｃｉ
ｄ）、トリヒドロキシブチロフェノン、尿酸及びその誘導体、マンノース及びその誘導体、スーパーオキシドジスムターゼ、Ｎ−［３−（３，５−ジ−第三ブチル−４−ヒドロキシフェニル）プロピオニル］−スルファニル酸（及びその塩、例えば、ジナトリウム塩）、亜鉛及びその誘導体（例えば、ＺｎＯ、ＺｎＳＯ4）、セレニウム及びその誘導体（例
えば、セレニウムメチオニン）、スチルベン及びその誘導体（例えば、スチルベンオキシド、トランス−スチルベンオキシド）が挙げられ、及びＨＡＬＳ（＝"ヒンダードアミン
光安定剤"）化合物の誘導体（塩、エステル、エーテル、糖、ヌクレオチド、ヌクレオシ
ド、ペプチド及び脂質）もまた言及され得る。
【０１２７】
抗酸化剤の量は、パーソナルケア用製品の質量に基づき、通常、０．００１乃至２５質量％、好ましくは０．０１乃至３質量％であり得る。
【０１２８】
ヒドロトロープ剤：
組成物の流動性を改善するために、ヒドロトロープ剤、例えば、炭素原子の数が少ない、エトキシ化又は非エトキシ化モノアルコール、ジオール又はポリール、又はそれらのエーテル（例えば、エタノール、イソプロパノール、１，２−ジプロパンジオール、プロピレングリコール、グリセリン、エチレングリコール、エチレングリコールモノエチルエー
テル、エチレングリコールモノブチルエーテル、プロピレングリコールモノメチルエーテル、プロピレングリコールモノエチルエーテル、プロピレングリコールモノブチルエーテル、ジエチレングリコールモノメチルエーテル；ジエチレングリコールモノエチルエーテル、ジエチレングリコールモノブチルエーテル及び同様の生成物）を使用することもできる。この目的のために考慮されるポリオールは、好ましくは２乃至１５個の炭素原子及び少なくとも２つのヒドロキシ基を有する。ポリオールはまた、更なる官能基、特にアミノ基も含み得、及び／又は窒素原子で変性され得る。典型的な例は、グリセロール、アルキレングリコール、例えば、エチレングリコール、ジエチレングリコール、プロピレングリコール、ブチレングリコール、ヘキシレングリコール、及び又、１００乃至１０００ａｍｕの平均分子量を有するポリエチレングリコール；１．５乃至１０の固有縮合度を有する工業的なオリゴグリセロール混合物、例えば、４０質量％乃至５０質量％のジグリセロール含有量を有する工業的なジグリセロール混合物；特に、トリメチロールエタン、トリメチロールプロパン、トリメチロールブタン、ペンタエリトリトール及びジペンタエリトリトールのようなメチロール化合物；低級アルキルグルコシド、特に、アルキル基に１乃至８個の炭素原子を有する物、例えば、メチル及びブチルグルコシド；５乃至１２個の炭素原子を有する糖アルコール、例えば、ソルビトール又はマンニトール；５乃至１２個の炭素原子を有する糖、例えば、グルコース又はサッカロース；アミノ糖、例えば、グルカミン；並びにジエタノールアミン又は２−アミノ−１，３−プロパンジオールのようなジアルコールアミンを含む。
【０１２９】
防腐剤及び微生物抑制剤：
適当な防腐剤は、例えば、メチル−、エチル−、プロピル−、ブチルパラベン、ベンズアルコニウムクロリド、２−ブロモ−２−ニトロ−プロパン−１，３−ジオール、デヒドロ酢酸、ジアゾリジニルウレア、２−ジクロロ−ベンジルアルコール、ＤＭＤＭヒダントイン、ホルムアルデヒド溶液、メチルジブロモグルタニトリル、フェノキシエタノール、ヒドロキシメチルグリシン酸ナトリウム、イミダゾリジニルウレア及びトリクロサン及び以下の文献に列挙された物質類（Ｋ．：Ｆ．ＤｅＰｏｌｏ著−美容術のショートテキストブック，第７章，表７−２、７−３、７−４及び７−５，２１０乃至２１９頁）を含む。
【０１３０】
微生物抑制剤：
微生物抑制剤の典型的な例は、２，４，４'−トリクロロ−２'−ヒドロキシジフェニルエーテル（チバイルガサン（登録商標）DP３００）、クロルヘキシジン（１，６−ジ（４−クロロフェニル−ビグアニド）ヘキサン）又はＴＣＣ（３，４，４'−トリクロロカル
バニリド）のような、グラム陽性の細菌に対して特定の作用を有する防腐剤である。多数の芳香族物質及びエーテルを含んだオイルもまた、抗微生物特性を有する。典型的な例は、クローブオイル、ミントオイル及びタイムオイル中の有効成分であるオイゲノール、メントール及びチモールである。興味深い天然脱臭剤は、テルペンアルコールファルネソール（３，７，１１−トリメチル−２，６，１０−ドデカトリエン−１−オール）であり、そしてそれはライム花オイル中に存在する。グリセロールモノラウレートもまた、静菌剤であることが判った。
【０１３１】
更なる微生物抑制剤の量は、通常、製品の固体含有量に基づいて０．１乃至２質量％である。
【０１３２】
香油：
天然及び／又は合成芳香族物質の混合物が香油として言及され得る。天然芳香族物質は、例えば、花（ゆり、ラベンダー、バラ、ジャスミン、橙花、イランイランノキ）からの、幹及び葉（ゼラニウム、パチョリ、プチグレン）からの、果実（アニスの果実、コリアンダー、キャラウエー、ビャクシン）からの、果皮（ベルガモット、レモン、オレンジ）からの、根（メース、アンゼリカ、セロリー、カルダモン、コスタス、イリス、カルムス
（ｃａｌｍｕｓ））からの、木材（松材、ビャクダン材、ユソウボク、シーダー材、シタン材）からの、ハーブ及び草（タラゴン、レモングラス、セージ、タイム）からの、針状葉及び小枝（トウヒ、マツ、ヨーロッパアカマツ、フレキシマツ）からの、樹脂及びバルサム（ガルバヌム、エレミ、安息香、ミリス、乳香、オポポナックス）からの抽出物である。動物系原料、例えば、霊猫香及び海狸香もまた考慮される。典型的な合成芳香族物質は、例えば、エステル、エーテル、アルデヒド、ケトン、アルコール又は炭化水素型の生成物を含む。エステル型の芳香族化合物は、例えば、ベンジルアセテート、フェノキシエチルイソブチレート、ｐ−第三ブチルシクロヘキシルアセテート、リナリルアセテート、ジメチルベンジルカルビニルアセテート、フェニルエチルアセテート、リナリルベンゾエート、ベンジルホルメート、エチルメチルフェニルグリシネート、アリルシクロヘキシルプロピオネート、スチラリルプロピオネート及びベンジルサリチレートを含む。エーテルは、例えば、ベンジルエチルエーテルを含み；アルデヒドは、例えば、８乃至１８個の炭化水素原子を有する直鎖状アルカノール、シトラール、シトロネラール、シトロネリルオキシアセトアルデヒド、シクラメンアルデヒド、ヒドロキシシトロネラール、リリアル（ｌｉｌｉａｌ）及びボージュナールを含み；ケトンは、例えば、イオノン、イソメチルイオノン及びメチルセドリルケトンを含み；アルコールは、例えば、アネトール、シトロネロール、オイゲノール、イソオイゲノール、ゲラニオール、リナロール、フェニルエチルアルコール及びテルピノールを含み；及び、炭化水素は、主に、テルペン及びバルサムを含む。しかしながら、一緒になって魅力のある香りを生成する様々な芳香族物質の混合物を使用することが好まれる。主として、芳香成分として使用される、比較的低い揮発性のエーテルを含むオイルもまた、香油として適当であり、例えば、セージオイル、カモミールオイル、クローブオイル、メリッサオイル、シナモン葉のオイル、ライム花オイル、ジュニパーベリーオイル、ベチベルソウオイル、乳香オイル、ガルバヌムオイル、ラボラヌムオイル（ｌａｂｏｌａｎｕｍ ｏｉｌ）及びラバンジンオイルである。好ましいのは、
ベルガモットオイル、ジヒドロミルセノール、リリアル、リラル（ｌｙｒａｌ）、シトロネロール、フェニルエチルアルコールの使用である。また、α−ヘキシルシンナムアルデヒド、ゲラニオール、ベンジルアセトン、シクラメンアルデヒド、リナロール、ボイサムブレンフォルテ（ｂｏｉｓａｍｂｒｅｎｅ ｆｏｒｔｅ）、アンブロキサン、インドール
、ヘジオン（ｈｅｄｉｏｎ）、サンデリス（ｓａｎｄｅｌｉｃｅ）、レモンオイル、タンジェリンオイル、オレンジオイル、アリルアミルグリコレート、シクロバータル（ｃｙｃｌｏｖｅｒｔａｌ）、ラバンジンオイル、マスカットセージオイル、α−ダマスコン、バーボンゼラニウムオイル、シクロヘキシルサリチレート、ベートフィックスコウアー（ｖｅｒｔｏｆｉｘ ｃｏｅｕｒ）、イソ−Ｅ−スーパー、フィクソリドＮＰ、エバニール、
イラルデインガンマ（ｉｒａｌｄｅｉｎ ｇａｍｍａ）、フェニル酢酸、ゲラニルアセテ
ート、ベンジルアセテート、ローズオキシド、ロミラット（ｒｏｍｉｌｌａｔ）、イロチル（ｉｒｏｔｙｌ）、及びフロラマット（ｆｌｏｒａｍａｔ）の単独での、又は他のものとの混合物で使用され得る。
【０１３３】
着色剤：
例えば、出版物、"Ｋｏｓｍｅｔｉｓｃｈｅ Ｆａｒｂｅｍｉｔｔｅｌ"、Ｆａｒｂｓｔ
ｏｆｆｋｏｍｍｉｓｓｉｏｎ ｄｅｒ Ｄｅｕｔｓｃｈｅｎ Ｆｏｒｓｃｈｕｎｇｓｇｅｍ
ｅｉｎｓｃｈａｆｔ，Ｖｅｒｌａｇ Ｃｈｅｍｉｅ，ヴァインハイム，１９８４年，８１
乃至１０６頁及びその他の国における同様の出版物、例えば米国におけるＣＴＦＡ及びＦＤＡにより編集されたような、化粧目的において適当でありかつ許容される如何なる物質も着色剤として使用され得る。着色剤は、通常、混合物総量に基づいて、０．００１乃至０．１質量％の濃度で使用される。
【０１３４】
他の補助剤：
パーソナルケア用組成物は更に、補助剤として、シリコーンのような消泡剤、マレイン酸のような構造剤、エチレングリコール、プロピレングリコール、グリセロール又はジエ
チルグリコールのような可溶化剤、ラテックス、スチレン／ＰＶＰ又はスチレン／アクリルアミドコポリマーのような不透明化剤、ＥＤＴＡ、ＮＴＡ、アラニンジ酢酸又はホスホン酸のような錯化剤、プロパン／ブタン混合物、フッ化炭素、Ｎ2Ｏ、ジメチルエーテル
、ＣＯ2、Ｎ2又は空気のような噴射剤、酸化染料先駆物質としてのいわゆるカップリング剤及び展開剤成分、チオグリコール酸及びその誘導体、チオ乳酸、システアミン、チオリンゴ酸又はメルカプトエタンスルホン酸のような還元剤、又は過酸化水素、臭素酸カリウム又は臭素酸ナトリウムのような酸化剤を含むことも可能である。
【０１３５】
スキンケアのために、例えば、Ｎ，Ｎ−ジエチル−ｍ−トルアミド、１，２−ペンタンジオール又は防虫剤３５３５が防虫剤として考慮される。
【０１３６】
紫外線吸収剤：
紫外線吸収剤（ＵＶ吸収剤）は、紫外線によって誘発される化学的又は物理的分解から製品及び／又は基剤を保護するために、化粧品中に使用される。日焼け止め剤は、ＯＴＣ薬剤成分であり、そしてそれは紫外線から保護する。日焼け止め剤のようなＵＶ吸収剤は、入射紫外線をより損傷が少ない赤外線（熱）に変換する能力を有する。
【０１３７】
紫外線吸収剤は、例えば、アセトアミノサロール、アラントインＰＡＢＡ、ベンザルフタリド、ベンゾフェノン、ベンゾフェノン−１、ベンゾフェノン−２、ベンゾフェノン−３、ベンゾフェノン−４、ベンゾフェノン−５、ベンゾフェノン−６、ベンゾフェノン−７、ベンゾフェノン−８、ベンゾフェノン−９、ベンゾフェノン−１０、ベンゾフェノン−１１、ベンゾフェノン−１２、ベンゾトリアゾリルドデシルｐ−クレゾール、３−ベンジリデンカンファー、ベンジリデンカンファー加水分解コラーゲンスルホンアミド、ベンジリデンカンファースルホン酸、ベンジルサリチレート、ビス−エチルヘキシルオキシフェノールメトキシフェニルトリアジン、ボルネロン、ブメトリゾール、ブチルメトキシジベンゾイルメタン、ブチルＰＡＢＡ、チバファストH、カロフィルムイノフィルムシード
オイル、ツバキ科植物の葉の抽出物、カロテノイド、セリア／シリカ、セリア／シリカタルク、シノキセート、ＤＥＡ−メトキシシンナメート、ジベンズオキサゾイルナフタレン、ジ−第三ブチルヒドロキシベンジリデンカンファー、ジエチルヘキシルブタミドトリアゾン、ジエチルヘキシル２，６−ナフタレート、ジガロイルトリオレアート、ジイソプロピルメチルシンナメート、１−（３，４−ジメトキシフェニル）−４，４−ジメチル−１，３−ペンタンジエン、ジメチルＰＡＢＡ、エチルセテアリールジモニウムトシレート、ジモルホリノピリダジノン、ジフェニルカルボメトキシアセトキシナフトピラン、二ナトリウムビスエチルフェニルトリアミノトリアジンスチルベンジスルホネート、二ナトリウムジスチリルビフェニルジスルホネート、二ナトリウムフェニルジベンズイミダゾールテトラスルホネート、ドロメトリゾール、ドロメトリゾールトリシロキサン、エスクリン、エチルジヒドロキシプロピルＰＡＢＡ、エチルジイソプロピルシンナメート、エチルヘキシルジメトキシベンジリデンジオキソイミダゾリジンプロピオネート、エチルヘキシルジメチルＰＡＢＡ、エチルヘキシルフェルレート、エチルヘキシルメトキシシンナメート、エチルヘキシルサリチレート、エチルヘキシルトリアゾン、エチルメトキシシンナメート、エチルＰＡＢＡ、エチルウロカネート、エトクリレン、フェルラ酸、４−（２−β−グルコピラノシルオキシ）プロポキシ−２−ヒドロキシベンゾフェノン、グリセリルエチルヘキサノエートジメトキシシンナメート、グリセリルＰＡＢＡ、グリコールサリチレート、ヘキサンジオールサリチレート、ホモサレート、加水分解ルピナスタンパク質、イソアミルｐ−メトキシシンナメート、イソペンチルトリメトキシシンナメートトリシロキサン、イソプロピルベンジルサリチレート、イソプロピルジベンゾイルメタン、イソプロピルメトキシシンナメート、メチルアントラニレート、メンチルサリチレート、４−メチルベンジリデンカンファー、メチレンビス−ベンゾトリアゾリルテトラメチルブチルフェノール、オクトクリレン、オクトリゾール、ＰＡＢＡ、ＰＥＧ−２５ＰＡＢＡ、ペンチルジメチルＰＡＢＡ、フェニルベンズイミダゾールスルホン酸、フランス海洋松の樹皮の抽出物
、ポリアクリルアミドメチルベンジリデンカンファー、ポリシリコーン−１５、カリウムメトキシシンナメート、カリウムフェニルベンズイミダゾールスルホネート、赤色ペトロラタム、ＴＩＮＯＳＯＲＢ（登録商標）Ｍ、ＴＩＮＯＳＯＲＢ（登録商標）Ｓ及びチバファスト（登録商標）Ｈ（ナトリウムベンゾトリアゾリルブチルフェノールスルホネート、チバ  スペシャルティ  ケミカルズ  コーポレーションからの製品）、ナトリウムイソフェルレート、ナトリウムフェニルベンズイミダゾールスルホネート、ナトリウムウロカネート、ユレモ科スピルリナパウダー、ＴＥＡ−フェニルベンズイミダゾールスルホネート、ＴＥＡ−サリチレート、テレフタリリデンジカンファースルホン酸、テトラブチルフェニルヒドロキシベンゾエート、二酸化チタン、トコトリエノール、トリＰＡＢＡパンテノール、ウロカン酸、ＶＡ／クロトネート／メタクリルオキシベンゾフェノン−１コポリマー及び葡萄（グレープ）シード抽出物を含む。
【０１３８】
以下の実施例は、発明の実施態様を述べるが、本発明はこれに限定されるものではない。開示された実施態様への幾多の変更は、ここに開示するものに従い、本発明の精神又は範囲から逸脱することなく、行われ得ることを理解すべきである。これらの実施例はそれ故、本発明の範囲を限定することを意図するものではない。正確に言えば、本発明の範囲は、添付された請求の範囲及びその均等物によってのみ決定されるべきものである。これらの実施例において与えられた全ての部は、特に明示のない限り質量に基づく。
【実施例】
【０１３９】
ｐＤＡＤＭＡＣ／ＤＡＡコポリマーの合成
冷却器、温度計、窒素注入口及び上部よりの攪拌機を備えた１Ｌの反応装置に、２６０ｇの６６％のＤＡＤＭＡＣモノマー、３４．５ｇのジアリルアミン（ＤＡＡ）、３５．０ｇの塩酸溶液、６．０ｇの脱イオン水、そして０．４ｇの２０％Ｎａ4ＥＤＴＡ溶液を入
れた。重合化混合物は窒素でパージし、そして攪拌しながら８０℃の温度まで加熱した。２．１ｇの過硫酸アンモニウム（ＡＰＳ）を含む水溶液を１９０分以上かけて反応混合液へ徐々に加えた。反応温度は９０℃以上まで上昇させておき、そしてここでＡＰＳ添加の間は９０℃乃至１００℃に保持した。ＡＰＳを添加した後、反応温度を９５℃において約３０分間保持した。６ｇのメタ重亜硫酸ナトリウム（ＭＢＳ）水溶液を３０分以上かけて添加した。反応混合液を９５℃においてまた３０分間保持し、重合化を完結させた（９９％以上の変換）。ポリマー溶液はここで充分な水を用い約３５質量％固体まで希釈し、室温まで冷却した。最終生成物は、ブルックフィールド（Ｂｒｏｏｋｆｉｅｌｄ）粘度が２５℃において９１００ｃｐｓ（３０ｒｐｍｓにおけるブルックフィールドＬＶ４スピンドルを用いて）であり、３３％ポリマー固体であった。
【０１４０】
実施例２
実施例１と同様の手順に従い、以下のポリマー（下記表１中）を合成した。最終生成物粘度は、２５℃において１２ｒｐｍにおけるブルックフィールドＬＶＴ番号３スピンドルを用いたブルックフィールド粘度計を用い、測定した。粘度の結果を下記表１に示す。
【０１４１】
【表１】
0005380072.tif 000018
【０１４２】
実施例３
メカニカルスターラー、滴下ロート及び冷却器を備えた０．５Ｌの反応装置に、２２８．０ｇ（０．１２９モル第二アミン、ＮＨ）の実施例１からの「基本」ポリマーを入れた。反応成分は、６．０ｇの２５％水酸化ナトリウム水溶液を用いて９．０乃至１０．０のｐＨに調整し、そして攪拌しながら７０℃まで加熱した。ｐＨ調整の後、７．６ｇ（０．００７６モルエポキシド）のモノ（２，３−エポキシ）プロピルエーテル末端のポリジメチルシロキサン（ＧｅｌｅｓｔからのＭＣＲ−Ｅ１１）を反応容器へ添加した。グラフト反応は約７０℃において保持し、そして反応溶液の粘度を攪拌トルク計を用いてモニターした。反応成分の粘度はトルク計の読みにより表示されたように、反応時間が経つに従い上昇した。粘度上昇は、グラフト疎水性シロキサン基の会合から生じると考えられており、そしてグラフト反応の兆候であり得る。粘度は、約４時間後反応時間が経つに従い少しの増加しか示さないが、反応混合物をもう２時間の間７０℃において保持した。濃塩酸溶液及び脱イオン水を添加しｐＨを約５に調節し、個体を得た。生じたポリマー生成物は均一であり、黄色の乳液様の２０．０質量％のポリマー固体（「基本」ポリマーＩａ＋グラフト剤ＩＩ）を有する溶液であり、そしてブルックフィールド粘度が約１２００ｃｐｓ（２５℃において、３０ｒｐｍｓにおいてブルックフィールドＬＶ３スピンドルを用いて）であった。官能性カチオン性ポリマーは、コポリマーへ疎水性シロキサン官能性を提供する、グラフトＭＣＲ−Ｅ１１を約１０質量％含む。
【０１４３】
実施例４
ＭＣＲ−Ｅ１１グラフト剤の７．６ｇの代わりに１８．１ｇを添加した以外は実施例３の方法に従った。生じたポリマー生成物は、均一であり、黄色の乳液様の２０．０質量％のポリマー固体（「基本」ポリマーＩ＋グラフト剤ＩＩ）を有し、そしてブルックフィールド粘度が約１２００ｃｐｓ（２５℃において３０ｒｐｍｓにおいてブルックフィールドＬＶ３スピンドルを用いて）であった。コポリマーは、カチオン性コポリマーへ充分な疎水性シロキサン官能性を提供するグラフトＭＣＲ−Ｅ１１を約２０質量％含む。
【０１４４】
実施例５
メカニカルスターラー、滴下ロート及び冷却器を備えた１Ｌの反応装置に、２５０ｇの２２．１質量％の実施例１からの「基本」ポリマー（０．０９６モル第アミン、ＮＨ）を入れた。６．０ｇの２５％のＮａＯＨ溶液を添加し、ｐＨを９．０以上に調整した。反応成分は、２６．２ｇの脱イオン水を用いて希釈し、そして１０．０ｇの２−ヒドロキシエチルアクリレート（ＨＥＡ、９７％）を約２０℃の温度において添加した。反応は、液体クロマトグラフィ（ＨＰＬＣ）によりＨＥＡの消失を追跡することによりモニターした。グラフト反応は添加されたＨＥＡの９５％以上が反応した後完結させた。反応が、粘度の増加を生じた。脱イオン水を反応の間時々添加して攪拌するための適切な反応粘度を維持した。生じた生成物は、１１．５質量％の、グラフトポリマー固体を含む透明な溶液であった。ポリマー固体は、カチオン性ｐＤＡＤＭＡＣ／ＤＡＡコポリマーへヒドロキシ官能
性を加えるグラフトＨＥＡ単位を１５質量％含む。
【０１４５】
実施例６
１．８ｇのアクリルアミド（５０％）溶液を、２５ｇの実施例１からの生成物へ、ｐＨを２５％ＮａＯＨ溶液を用いて９．０に調整した後に添加した。完全に混合した後に、溶液を２３℃乃至２６℃において約３日間反応させておいた。溶液の粘度は最初７７２０ｃｐｓであったものが反応後１６３２０ｃｐｓへ増加した。生じたポリマー溶液は透明であり、そして３１．２質量％のポリマー固体を含む。得られたカチオン性ポリマーは、カチオン性ｐＤＡＤＭＡＣ／ＤＡＡコポリマーへペンダントアミド基の官能性を加えるグラフトアクリルアミド単位を約１５質量％有していた。
【０１４６】
実施例７
５０ｇ（４２８ｍｍｏｌ）のメトキシポリエチレングリコール３５０（ＭＰＥＧ３５０−ダウケミカル）をスターラー、窒素注入口及び温度調節器を備えた丸底フラスコへ入れ、そして攪拌しながら加熱した。温度が６５℃に達した時点で、１．６ｇの三フッ化ホウ素エーテラートをフラスコへ添加した。そこで３５．７ｇ（３８６ｍｍｏｌ）のエピクロロヒドリンを、１時間以上かけてフラスコへ滴下し添加した。発熱反応が、６５℃から７４℃への温度上昇で観測された。温度上昇が治まった時点で、反応混合液を６５℃において３時間攪拌しながら保持した。このとき、エピクロロヒドリンの消費を、完結することをガスクロマトグラフィにより測定した。次に３０．８ｇの５０％ＮａＯＨ溶液を混合物へ添加し、そこで６０℃において１時間攪拌した。エポキシ基の生成をガスクロマトグラフィ及び塩化物イオン滴定によりモニターした。混合物をここでジエチルエーテルを用いて抽出し、水及び塩から生成物を分離した。この中間体は透明コハク色液体として得られた。
【０１４７】
実施例８乃至２８
５０．０ｇ（試料中のＤＡＡに基づいて２０．５ｍｍｏｌ／当量の質量）の実施例２からの「基本」ポリマーＢを２０ｇの脱イオン水で希釈した。ｐＨを１．２ｇの５０％ＮａＯＨ溶液を用いて調整した。１．２ｇ（６．２ｍｍｏｌ）の１−オキシ−２，２，６，６−テトラメチル−４−グリシジルオキシピペリジン（グリシドールＴＥＭＰＯ）を溶液に添加した。完全攪拌の後、反応混合物を７０℃において５時間反応させた。この時間の後、１−オキシ−２，２，６，６−テトラメチル−４−グリシジルオキシピペリジン（グリシドールＴＥＭＰＯ）の消費を、液体クロマトグラフィにより＞９９％であることを測定した。５０ｇの脱イオン水を０．５ｇの５０％ＮａＯＨ溶液と共に添加した。温度が７０℃に達した時点で、５．５ｇ（６．２ｍｍｏｌ）の３８％の３−クロロ−２−ヒドロキシプロピル−ジメチルドデシルアンモニウムクロリド（ＤｅｇｕｓｓａよりのＱｕａｂ（登録商標）３４２）溶液及び５ｇの２−プロパノールをフラスコへ添加した。反応混合物を７０乃至７５℃において３時間攪拌しながら保持した。反応の間、２０．０ｇの脱イオン水を添加し粘度調節を補助した。混合物はそこで、液体クロマトグラフィを用いてＱｕａｂ３４２の消失を分析した。また、Ｑｕａｂ３４２のグリコールへの加水分解を滴定により、そして液体クロマトグラフィを用いてモニターした。この時間の後、混合物を室温まで冷却し、そして１１６ｇの脱イオン水及び１．４ｇの濃塩酸を加えｐＨを調整した。変性されたポリＤＡＭＡＣコポリマーが、９．１質量％固体の透明な粘性のある黄色混合物として得られた。カチオン性ポリマーは、ペンダントニトロキシル基から抗酸化官能性を提供するグラフトグリシドールＴＥＭＰＯを約４．４質量％、及び３−クロロ−２−ヒドロキシプロピル−ジメチルドデシルアンモニウムクロリド反応生成物を７．７質量％含む。
【０１４８】
表２は、上記ポリマー及び同様に合成されたその他のポリマーの特性を概説する。
【表２】
0005380072.tif 000019
1ジアリルアミン含有量に基づく
【０１４９】
グリシドールＴＥＭＰＯ＝１−オキシ−２，２，６，６−テトラメチル−４−グリシジルオキシピペリジン
Ｑｕａｂ  ３４２＝３−クロロ−２−ヒドロキシプロピル−ジメチルドデシルアンモニウムクロリド
Ｑｕａｂ  １５１＝グリシジルトリメチルアンモニウムクロリド
Ｑｕａｂ  ４２６＝３−クロロー２−ヒドロキシプロピル−ジメチルオクダデシルアンモニウムクロリド
Ｅ−ドデカン＝１，２−エポキシドデカン
Ｅ−ヘキサン＝１，２−エポキシヘキサン
ＰＧＥ＝フェニルグリシジルエーテル
ＰＳＡ＝３−クロロ−２−ヒドロキシ−１−プロパンスルホン酸、ナトリウム塩
ＣＡ＝２−クロロアセタミド
ＰＥＦ３５０＝カルボワックス３５０＝ポリエチレングリコール３５０
ドデセニルＳＡ＝２−ドデセニ−１−イル  無水コハク酸
【０１５０】
実施例２９乃至４９
５０．０ｇ（試料中のＤＡＡに基づいて４２ｍｍｏｌ／当量の質量）の実施例２からの「基本」ポリマーＡ、１０．１ｇの脱イオン水及び３．３ｇの５０％ＮａＯＨ溶液を、スターラー、窒素注入口及び温度調節器を備えた丸底フラスコへ入れ、加熱した。温度が７０℃に達した時点で、３０．２ｇ（３３．５ｍｍｏｌ）の３８％の３−クロロ−２−ヒドロキシプロピル−ジメチルドデシルアンモニウムクロリド（ＤｅｇｕｓｓａからのＱｕａｂ３４２）溶液及び８ｇの２−プロパノールをフラスコへ添加した。発熱反応が６５℃から７０℃へ温度上昇で観測された。温度上昇が治まった時点で、反応混合物を６５℃において３時間攪拌しながら保持した。反応の間、６．０ｇの脱イオン水を添加し粘度調節を補助した。この時点で、Ｑｕａｂ３４２の消失を塩化物滴定により＞９９％であることを測定した。また、Ｑｕａｂ３４２のグリコールへの加水分解を、滴定により及び液体クロマトグラフィを用いることによりモニターした。この時間の後、混合物を室温まで冷却し、そして１７９ｇの脱イオン水及び１．５ｇの２．３％のＨＣｌ／水溶液を添加しｐＨを調整した。変性されたポリＤＡＭＡＣコポリマーは、１２．８質量％固体の、透明な粘性のある黄色混合物として得られた。
【０１５１】
最終生成物は、１２．８％ポリマー固体において、２５℃において（１２ｒｐｍｓにおいてブルックフィールドＬＶ３スピングルを用いて）４９００ｃｐｓのブルックフィールド粘度を有する。
【０１５２】
表３は、上記ポリマー及び同様に合成されたその他のポリマーの特性を概説する。
表３
【表３】
0005380072.tif 000020
1ジアリルアミン成分に基づく
2ブルックフィールドＬＶＴ番号３、スピード １２ｒｐｍ
3ブルックフィールドＬＶＴ 番号4、スピード １２ｒｐｍ
4ブルックフィールドＬＶＴ−Ｅ、スピード １０ｒｐｍ
5ブルックフィールドＬＶＴ 番号２、スピード １２ｒｐｍ
6ブルックフィールドＬＶＴ Ａ、スピード １２ｒｐｍ
【０１５３】
Ｑｕａｂ  １５１＝グリシジルトリメチルアンモニウムクロリド
Ｑｕａｂ  ３４２＝３−クロロ−２−ヒドロキシプロピル−ジメチルドデシルアンモニウムクロリド
Ｑｕａｂ  ４２６＝３−クロロ−２−ヒドロキシプロピル−ジメチルオクダデシルアンモニウムクロリド
Ｅ−ドデカン＝１，２−エポキシドデカン
Ｅ−ヘキサン＝１，２−エポキシヘキサン
ＰＧＥ＝フェニルグリシジルエーテル
ＰＳＡ＝３−クロロ−２−ヒドロキシ−１−プロパンスルホン酸、ナトリウム塩
ＳＣＡ＝クロロ酢酸ナトリウム
ＣＡ＝２−クロロアセタミド
ＰＥＦ３５０＝カルボワックス３５０＝ポリエチレングリコール３５０
ドデセニルＳＡ＝２−ドデセニ−１−イル  無水コハク酸
【０１５４】
実施例５０
４０．０ｇ（１１５．６ｍｍｏｌ）のデュポンからのヨウ化ペルフルオロブチル、４．１ｇの脱イオン水及び１．１ｇのメタ重亜硫酸ナトリウム（２６．８％溶液）を、スターラー、窒素注入口及び温度調節器を備えた丸底フラスコに入れ、そして加熱した。温度が６０℃に達した時点で、１６．８ｇ（２３１．２ｍｍｏｌ）のアリルアルコール（Ａｃｒｏｓ）をフラスコへ１時間以上かけて添加した。発熱反応が６０℃から７０℃への温度上昇で観測された。温度上昇が治まった時点で、反応混合物を６５℃において３時間攪拌しながら保持した。この時点で、ヨウ化ペルフルオロブチルの消失をガスクロマトグラフィを用いて＞９５％になるまで測定した。この時間の後、過剰のアリルアルコールを減圧下８５℃において蒸留により除去した。残留した混合物を冷却し、そして分液ロートへ移した。２５．８ｇの脱イオン水及び１００ｇのジエチルエーテルを加えた。水層をすて、そしてエーテル層を４０℃において減圧下蒸留により乾燥した。ヨウ化ペルフルオロアルキル中間体
【化１７】
0005380072.tif 000021
を４２．３％のフッ素を含む透明な橙色混合物として得た。
【０１５５】
実施例５１乃至５４
表４は、実施例２９と同様に、実施例５０のグラフト成分を用い製造されたグラフトカチオン性コポリマーの特性を概説する。
【０１５６】
【表４】
0005380072.tif 000022
1ジアリルアミン成分に基づく
【０１５７】
応用実施例
実施例５５：ヘアーコンディショニング剤形（質量％における％）
（表５）
【表５】
0005380072.tif 000023
【０１５８】
実施例５５（表５続き）
【表６】
0005380072.tif 000024
【０１５９】
実施例５６：ローション／クリーム剤形（質量％に於ける％）
表６
【表７】
0005380072.tif 000025
【０１６０】
実施例５６（表６続き）
【表８】
0005380072.tif 000026
【０１６１】
実施例５６（表６続き）
【表９】
0005380072.tif 000027